【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】  式：
【化１】
2002525329.tif 000001
［式中：
環Ｄはフェニル及び二重結合ａ−ｂを有するシクロヘキセンから選ばれ；
環Ｂ及び環Ｆは独立して：
（ａ）１〜３個の炭素原子が複素原子で置き換えられていることができる６−員炭素環式環；
（ｂ）５−員炭素環式環；及び
（ｃ）（１）１つの炭素原子が酸素、窒素もしくは硫黄原子で置き換えられているか；
（２）２つの炭素原子が硫黄及び窒素原子、酸素及び窒素原子、又は２つの窒素原子で置き換えられているか；あるいは
（３）３個の炭素原子が３個の窒素原子、１つの酸素及び２つの窒素原子、又は１つの硫黄及び２つの窒素原子で置き換えられている
５−員炭素環式環
から選ばれ；
Ｇ−Ｘ−Ｗは：
（ａ）（Ｚ１Ｚ２）Ｃ−Ｎ（Ｒ１）−Ｃ（Ｚ１Ｚ２）；
（ｂ）ＣＨ（Ｒ１）−Ｃ（＝Ｏ）−Ｎ（Ｒ１）；及び
（ｃ）Ｎ（Ｒ１）−Ｃ（＝Ｏ）−ＣＨ（Ｒ１）
から選ばれ、
Ｚ１及びＺ２は、それぞれの存在において独立してＨ，Ｈ；Ｈ，ＯＲ；Ｈ，ＳＲ；Ｈ，Ｎ（Ｒ）２；ならびにＺ１及びＺ２が一緒になって＝Ｏ、＝Ｓ及び＝ＮＲから選ばれる部分を形成する基から選ばれ；但しＺ１とＺ２の対の少なくとも１つは＝Ｏを形成し；
Ｒは独立してＨ、場合により置換されていることができるアルキル、ＯＨ、アルコキシ、ＯＣ（＝Ｏ）Ｒ１ａ、ＯＣ（＝Ｏ）ＮＲ１ｃＲ１ｄ、Ｏ（ＣＨ２）ｐＮＲ１ＣＲ１ｄ、Ｏ（ＣＨ２）ｐＯＲ１ｂ、場合により置換されていることができるアリールアルキル及び場合により置換されていることができるヘテロアリールアルキルから選ばれ；
Ｒ１は独立して：
（ａ）Ｈ、場合により置換されていることができるアルキル、場合により置換されていることができるアリール、場合により置換されていることができるアリールアルキル、場合により置換されていることができるヘテロアリール及び場合により置換されていることができるヘテロアリールアルキル；
（ｂ）Ｃ（＝Ｏ）Ｒ１ａ；
（ｃ）ＯＲ１ｂ；
（ｄ）Ｃ（＝Ｏ）ＮＨＲ１ｂ、ＮＲ１ｃＲ１ｄ、（ＣＨ２）ｐＮＲ１ｃＲ１ｄ、（ＣＨ２）ｐＯＲ１ｂ、Ｏ（ＣＨ２）ｐＯＲ１ｂ及びＯ（ＣＨ２）ｐＮＲ１ｃＲ１ｄ
から選ばれ；
Ｒ１ａは独立して場合により置換されていることができるアルキル、場合により置換されていることができるアリール及び場合により置換されていることができるヘテロアリールから選ばれ；
Ｒ１ｂは独立してＨ及び場合により置換されていることができるアルキルから選ばれ；
Ｒ１ｃ及びＲ１ｄはそれぞれ独立してＨ、場合により置換されていることができるアルキル及び式（ＣＨ２）２−Ｘ１−（ＣＨ２）２の結合基から選ばれ；
Ｘ１は独立してＯ、Ｓ及びＣＨ２から選ばれ；
ＱはＮＲ２、Ｏ、Ｓ、ＮＲ２２、ＣＨＲ２３、Ｘ４ＣＨ（Ｒ２３）、ＣＨ（Ｒ２３）Ｘ４から選ばれ、ここでＸ４はＯ、Ｓ、ＣＨ２、ＮＲ２２及びＮＲ２から選ばれ；
Ｒ２はＨ、ＳＯ２Ｒ２ａ、ＣＯ２Ｒ２ａ、Ｃ（＝Ｏ）Ｒ２ａ、Ｃ（＝Ｏ）ＮＲ２ｃＲ２ｄ、場合により置換されていることができるアルキル、場合により置換されていることができるアルケニル及び場合により置換されていることができるアルキニルから選ばれ、ここで該場合による置換基は１〜約３個のＲ５基であり；
Ｒ２ａは独立して場合により置換されていることができるアルキル、場合により置換されていることができるアリール、場合により置換されていることができるカルボシクリル、場合により置換されていることができるヘテロシクリル、ＯＲ２ｂ、ＣＯＮＨ２、ＮＲ２ｃＲ２ｄ、（ＣＨ２）ｐＮＲ２ｃＲ２ｄ及びＯ（ＣＨ２）ｐＮＲ２ｃＲ２ｄから選ばれ；
Ｒ２ｂはＨ及び場合により置換されていることができるアルキルから選ばれ；
Ｒ２ｃ及びＲ２ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ３及びＲ４はそれぞれ独立して：
（ａ）Ｈ、アリール、ヘテロアリール、Ｆ、Ｃｌ、Ｂｒ、Ｉ、ＣＮ、ＣＦ３、ＮＯ２、ＯＨ、ＯＲ９、Ｏ（ＣＨ２）ｐＮＲ１１Ｒ１２、ＯＣ（＝Ｏ）Ｒ９、ＯＣ（＝Ｏ）ＮＲ１１Ｒ１２、Ｏ（ＣＨ２）ｐＯＲ１０、ＣＨ２ＯＲ１０、ＮＲ１１Ｒ１２、ＮＲ１０Ｓ（＝Ｏ）２Ｒ９及びＮＲ１０Ｃ（＝Ｏ）Ｒ９；
（ｂ）ＣＨ２ＯＲ１４；
（ｃ）ＮＲ１０Ｃ（＝Ｏ）ＮＲ１１Ｒ１２、ＣＯ２Ｒ１０、Ｃ（＝Ｏ）Ｒ９、Ｃ（＝Ｏ）ＮＲ１１Ｒ１２、ＣＨ＝ＮＯＲ１０、ＣＨ＝ＮＲ１０、（ＣＨ２）ｐＮＲ１１Ｒ１２、（ＣＨ２）ｐＮＨＲ１４及びＣＨ＝ＮＮＲ１１Ｒ１２；
（ｄ）Ｓ（Ｏ）ｙＲ９、（ＣＨ２）ｐＳ（Ｏ）ｙＲ９及びＣＨ２Ｓ（Ｏ）ｙＲ１４；
（ｅ）場合による置換基が１〜約３個のＲ５基である、場合により置換されていることができるアルキル、場合により置換されていることができるアルケニル及び場合により置換されていることができるアルキニル
から選ばれ；
Ｒ９はアルキル、（ＣＨ２）ｒアリール及び（ＣＨ２）ｒヘテロアリールから選ばれ；
Ｒ１０はＨ、アルキル、（ＣＨ２）ｒアリール及び（ＣＨ２）ｒヘテロアリールから選ばれ；
Ｒ１１及びＲ１２は独立してＨ及び場合により置換されていることができるアルキルから選ばれるか、又は一緒になって式（ＣＨ２）２−Ｘ１−（ＣＨ２）２の結合基を形成し；
Ｒ５はアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、ＣＮ、ＮＯ２、ＯＨ、ＯＲ９、Ｘ２（ＣＨ２）ｐＮＲ１１Ｒ１２、Ｘ２（ＣＨ２）ｐＣ（＝Ｏ）ＮＲ１１Ｒ１２、Ｘ２（ＣＨ２）ｐＯＣ（＝Ｏ）ＮＲ１１Ｒ１２、Ｘ２（ＣＨ２）ｐＣＯ２Ｒ９、Ｘ２（ＣＨ２）ｐＳ（Ｏ）ｙＲ９、Ｘ２（ＣＨ２）ｐＮＲ１０Ｃ（＝Ｏ）ＮＲ１１Ｒ１２、ＯＣ（＝Ｏ）Ｒ９、ＯＣ（＝Ｏ）ＮＨＲ１０、Ｏ−テトラヒドロピラニル、ＮＲ１１Ｒ１２、ＮＲ１０Ｃ（＝Ｏ）Ｒ９、ＮＲ１０ＣＯ２Ｒ９、ＮＲ１０Ｃ（＝Ｏ）ＮＲ１１Ｒ１２、ＮＨＣ（＝ＮＨ）ＮＨ２、ＮＲ１０Ｓ（Ｏ）２Ｒ９、Ｓ（Ｏ）ｙＲ９、ＣＯ２Ｒ１０、Ｃ（＝Ｏ）ＮＲ１１Ｒ１２、Ｃ（＝Ｏ）Ｒ９、ＣＨ２ＯＲ１０、ＣＨ＝ＮＮＲ１１Ｒ１２、ＣＨ＝ＮＯＲ１０、ＣＨ＝ＮＲ９、ＣＨ＝ＮＮＨＣＨ（Ｎ＝ＮＨ）ＮＨ２、Ｓ（＝Ｏ）２ＮＲ１１Ｒ１２、Ｐ（＝Ｏ）
（ＯＲ１０）２、ＯＲ１４及び単糖から選ばれ、ここで単糖のそれぞれのヒドロキシル基は独立して非置換であるか、又はＨ、アルキル、アルキルカルボニルオキシもしくはアルコキシにより置き換えられており；
Ｘ２はＯ、Ｓ又はＮＲ１０であり；
Ｙは：
（ａ）直接結合；
（ｂ）場合による置換基が１〜約３個のＲ１９基である、場合により置換されていることができるＣＨ２、ＣＨ２ＣＨ２又はＣＨ２ＣＨ２ＣＨ２；ならびに
（ｃ）ＣＨ＝ＣＨ、ＣＨ（ＯＨ）−ＣＨ（ＯＨ）、Ｏ、Ｓ、Ｓ（＝Ｏ）、Ｓ（＝Ｏ）２、Ｃ（Ｒ１８）２、Ｃ＝Ｃ（Ｒ１９）２、Ｃ（＝Ｏ）、Ｃ（＝ＮＯＲ２０）、Ｃ（ＯＲ２０）Ｒ２０、Ｃ（＝Ｏ）ＣＨ（Ｒ１８）、ＣＨ（Ｒ１８）Ｃ（＝Ｏ）、Ｃ（＝ＮＯＲ２０）ＣＨ（Ｒ１８）、ＣＨＲ２１Ｃ（＝ＮＯＲ２０）、Ｃ（＝Ｏ）Ｎ（Ｒ２１）、Ｎ（Ｒ２１）Ｃ（＝Ｏ）、ＺがＣ（Ｒ２０）２、Ｏ、Ｓ、ＣＯ２Ｒ２０、Ｃ（＝ＮＯＲ２０）及びＮ（Ｒ２０）から選ばれるＣＨ２Ｚ、ＺＣＨ２及びＣＨ２ＺＣＨ２
から選ばれ；
Ｒ１８は独立してＨ、ＳＯ２Ｒ１８ａ、ＣＯ２Ｒ１８ａ、Ｃ（＝Ｏ）Ｒ１８ａ、Ｃ（＝Ｏ）ＮＲ１８ｃＲ１８ｄ、場合により置換されていることができるアルキル、場合により置換されていることができるアルケニル及び場合により置換されていることができるアルキニルから選ばれ；
Ｒ１８ａは独立して場合により置換されていることができるアルキル、場合により置換されていることができるアリール、場合により置換されていることができるカルボシクリル及び場合により置換されていることができるヘテロシクリルから選ばれ；
Ｒ１８ｃ及びＲ１８ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ１９は独立してＲ２０、チオアルキル、ハロゲン、場合により置換されていることができるアルキル、場合により置換されていることができるアルケニル及び場合により置換されていることができるアルキニルから選ばれ；
Ｒ２０は独立してＨ、アルキル、ＯＨ、アルコキシ、ＯＣ（＝Ｏ）Ｒ１８ａ、ＯＣ（＝Ｏ）ＮＲ１８ｃＲ１８ｄ、ＯＣ（＝Ｓ）ＮＲ１８ｃＲ１８ｄ、Ｏ（ＣＨ２）ｐＮＲ１８ｃＲ１８ｄ、Ｏ（ＣＨ２）ｐＯＲ２１、場合により置換されていることができるアリールアルキル、場合により置換されていることができるヘテロシクリルアルキル及び場合により置換されていることができるカルボシクリルから選ばれ；
Ｒ２１は独立してＨ及びアルキルから選ばれ；
Ｑ’は：
（ａ）直接結合；
（ｂ）ＮＲ６；
（ｃ）場合により置換されていることができるＣＨ２、ＣＨ２ＣＨ２又はＣＨ２ＣＨ２ＣＨ２；
（ｄ）ＣＲ２２Ｒ２４；ならびに
（ｅ）ＣＨ＝ＣＨ、ＣＨ（ＯＨ）ＣＨ（ＯＨ）、Ｏ、Ｓ、Ｓ（＝Ｏ）、Ｓ（＝Ｏ）２、Ｃ（＝Ｏ）、Ｃ（＝ＮＯＲ１１）、Ｃ（ＯＲ１１）（Ｒ１２）、Ｃ（＝Ｏ）ＣＨ（Ｒ１３）、ＣＨ（Ｒ１３）Ｃ（＝Ｏ）、Ｃ（Ｒ１０）２、Ｃ（＝ＮＯＲ１１）ＣＨ（Ｒ１３）、ＣＨ（Ｒ１３）Ｃ（＝ＮＯＲ１１）、ＣＨ２Ｚ’、Ｚ’−ＣＨ２及びＣＨ２Ｚ’ＣＨ２
から選ばれ；
Ｚ’はＣ（Ｒ１１）（ＯＲ１２）、Ｏ、Ｓ、Ｃ（＝Ｏ）、Ｃ（＝ＮＯＲ１１）及びＮＲ１１から選ばれ；
Ｒ６はＨ、ＳＯ２Ｒ２ａ、ＣＯ２Ｒ２ａ、Ｃ（＝Ｏ）Ｒ２ａ、Ｃ（＝Ｏ）ＮＲ１ｃＲ１ｄ、場合により置換されていることができるアルキル、場合により置換されていることができるアルケニル及び場合により置換されていることができるアルキニルから選ばれ、ここで該場合による置換基は１〜約３個のＲ５基であるか；あるいは
また、ＱがＮＲ２であり、Ｑ’がＮＲ６又はＣ（Ｒ１０）２である場合、Ｒ２及びＲ６又はＲ１０の１つは一緒になって：
【化２】
2002525329.tif 000002
を形成し、
ここでＲ７及びＲ８はそれぞれ独立してＨ、ＯＨ、アルキル、アルコキシ、場合により置換されていることができるアリールアルキル、場合により置換されていることができるヘテロアリールアルキル、（ＣＨ２）ｐＯＲ１０、（ＣＨ２）ｐＯＣ（＝Ｏ）ＮＲ１１Ｒ１２及び（ＣＨ２）ｐＮＲ１１Ｒ１２から選ばれるか；あるいはＲ７とＲ８は一緒になって式ＣＨ２−Ｘ３−ＣＨ２の結合基を形成し；
Ｘ３は結合、Ｏ、Ｓ又はＮＲ１０であり；
Ｊは結合、Ｏ、ＣＨ＝ＣＨ、Ｓ、Ｃ（＝Ｏ）、ＣＨ（ＯＲ１０）、Ｎ（Ｒ１０）、Ｎ（ＯＲ１０）、ＣＨ（ＮＲ１１Ｒ１２）、Ｃ（＝Ｏ）Ｎ（Ｒ１７）、Ｎ（Ｒ１７）Ｃ（＝Ｏ）、Ｎ（Ｓ（Ｏ）ｙＲ９）、Ｎ（Ｓ（Ｏ）ｙＮＲ１１Ｒ１２）、Ｎ（Ｃ（＝Ｏ）Ｒ１７）、Ｃ（Ｒ１５Ｒ１６）、Ｎ＋（Ｏ−）（Ｒ１０）、ＣＨ（ＯＨ）ＣＨ（ＯＨ）及びＣＨ（Ｏ（Ｃ＝Ｏ）Ｒ９）ＣＨ（ＯＣ（＝Ｏ）Ｒ９）から選ばれ；
Ｊ’はＯ、Ｓ、Ｎ（Ｒ１０）、Ｎ＋（Ｏ−）（Ｒ１０）、Ｎ（ＯＲ１０）及びＣＨ２から選ばれ；
Ｒ１３はアルキル、アリール及びアリールアルキルから選らばれ；
Ｒ１４はカルボキシル基のヒドロキシル基が除去された後のアミノ酸の残基であり；
Ｒ１５及びＲ１６は独立してＨ、ＯＨ、Ｃ（＝Ｏ）Ｒ１０、Ｏ（Ｃ＝Ｏ）Ｒ９、アルキル−ＯＨ、アルコキシ及びＣＯ２Ｒ１０から選ばれ；
Ｒ１７はＨ、アルキル、アリール及びヘテロアリールから選ばれ；
Ｒ２２は
【化３】
2002525329.tif 000003
であり、
Ｘ５及びＸ６は独立してＯ、Ｎ、Ｓ、ＣＨＲ２６、Ｃ（ＯＨ）Ｒ２６、Ｃ（＝Ｏ）及びＣＨ２＝Ｃから選ばれ；
Ｘ７及びＸ８は独立して結合、Ｏ、Ｎ、Ｓ、ＣＨＲ２６、Ｃ（ＯＨ）Ｒ２６、Ｃ（＝Ｏ）及びＣＨ２＝Ｃから選ばれ；
Ｘ９及びＸ１０は独立して結合、Ｏ、Ｎ、Ｓ、Ｃ（＝Ｏ）及びＣＨＲ２６から選ばれ；
Ｘ１１は結合又は場合によりＮＲ１１Ｒ１２もしくはＯＲ３０で置換されていることができるアルキレンであり；
Ｒ２３はＨ、ＯＲ２７、ＳＲ２７、Ｒ２２及びＲ２８から選ばれ；
Ｒ２４はＲ、チオアルキル及びハロゲンから選ばれ；
Ｒ２５はＲ１及びＯＣ（＝Ｏ）ＮＲ１ｃＲ１ｄから選ばれ；
Ｒ２６はＨ、場合により置換されていることができるアルキル及び場合により置換されていることができるアルコキシから選ばれ、
ここで
（１）環Ｇは０〜約３個の環複素原子を含有し；
（２）環Ｇのいずれか２つの隣接ヒドロキシル基は一緒になってジオキソラン環を形成することができ；
（３）環Ｇのいずれか２つの隣接環炭素原子は一緒になって縮合アリールもしくはヘテロアリール環を形成することができ；但し；
（ａ）Ｘ１１が結合の場合、環Ｇはヘテロアリールであることができ；
（ｂ）環Ｇは：
（ｉ）少なくとも１つの飽和されている炭素原子を含有し；
（ｉｉ）２つの隣接する環Ｏ原子を含有せず；
（ｉｉｉ）最高で２個のＣ（＝Ｏ）基を含有し；
Ｒ２７はＨ及びアルキルから選ばれ；
Ｒ２８はアリール、アリールアルキル、ＳＯ２Ｒ２９、ＣＯ２Ｒ２９、Ｃ（＝Ｏ）Ｒ２９、場合により置換されていることができるアルキル、場合により置換されていることができるアルケニル及び場合により置換されていることができるアルキニルから選ばれ；
Ｒ２９はアルキル、アリール及びヘテロアリールから選ばれ；
Ｒ３０はＨ、アルキル、アシル及びＣ（＝Ｏ）ＮＲ１１Ｒ１２から選ばれ；
ｍは独立して０、１及び２から選ばれ；
ｐは独立して１、２、３及び４から選ばれ；
ｒは独立して０、１及び２から選ばれ；
ｙは独立して０、１及び２から選ばれ；
ｚは０、１、２、３及び４から選ばれ；
但し、Ｙ及びＱ’の少なくとも１つは直接結合であり、Ｙが直接結合の場合にはＱ’は直接結合以外であり、Ｑ’が直接結合の場合にはＹは直接結合以外であり、環Ｂ及びＦがフェニルであり、Ｇ−Ｘ−ＷがＣＨ２ＮＨＣ（＝Ｏ）であり、Ｙが直接結合であり、ＱがＮＲ２であり、Ｑ’がＮＲ６であり、ここでＲ６がＲ２と一緒になって
【化４】
2002525329.tif 000004
を形成する場合、Ｒ３はＣＨ２ＳＣＨ２ＣＨ３以外である］
を有する式Ｉの縮合ピロロカルバゾールあるいはそれらの立体異性体又は製薬学的に許容され得る塩の形態を有効成分として含有することを特徴とする、患者における聴覚障害を予防するための薬剤。
【請求項２】  Ｙが直接結合であり；
ＱがＮＲ２である
請求項１に従う薬剤。
【請求項３】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２及びＣ（＝Ｏ）ＮＲ１Ｃ（＝Ｏ）から選ばれ、Ｑ’がＮＲ６である請求項２に従う薬剤。
【請求項４】  縮合ピロロカルバゾールが式：
【化５】
2002525329.tif 000005
を有する請求項３に従う薬剤。
【請求項５】  縮合ピロロカルバゾールのＲ３及びＲ４がＨ、アルキル、Ｃｌ、Ｂｒ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項４に従う薬剤。
【請求項６】  縮合ピロロカルバゾールが式：
【化６】
2002525329.tif 000006
を有する請求項５に従う薬剤。
【請求項７】  Ｑ’がＣＨ２、ＣＨ２ＣＨ２、Ｓ又はＣＨ（ＣＨ（ＣＨ３）（ＯＨ））である
請求項２に従う薬剤。
【請求項８】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２から選ばれる請求項７に従う薬剤。
【請求項９】  縮合ピロロカルバゾールが式
【化７】
2002525329.tif 000007
を有する請求項８に従う薬剤。
【請求項１０】  Ｒ２がＨ、ＣＨ２ＣＨ２ＯＨ、ＣＨ２ＣＨ２ＮＨＣ（＝Ｏ）−Ｃ６Ｈ５−ＯＨ、ＣＨ２ＣＨ２ＣＨ２ＯＨであり、縮合ピロロカルバゾールのＲ３及びＲ４がＨ、アルキル、Ｃｌ、Ｂｒ、アルコキシ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項９に従う薬剤。
【請求項１１】  縮合ピロロカルバゾールが式：
【化８】
2002525329.tif 000008
を有する請求項１０に従う薬剤。
【請求項１２】  縮合ピロロカルバゾールが式：
【化９】
2002525329.tif 000009
を有する請求項８に従う薬剤。
【請求項１３】  式：
【化１０】
2002525329.tif 000010
［式中：
環Ｄはフェニル及び二重結合ａ−ｂを有するシクロヘキセンから選ばれ；
環Ｂ及び環Ｆは独立して：
（ａ）１〜３個の炭素原子が複素原子で置き換えられていることができる６−員炭素環式環；
（ｂ）５−員炭素環式環；及び
（ｃ）（１）１つの炭素原子が酸素、窒素もしくは硫黄原子で置き換えられているか；
（２）２つの炭素原子が硫黄及び窒素原子、酸素及び窒素原子、又は２つの窒素原子で置き換えられているか；あるいは
（３）３個の炭素原子が３個の窒素原子、１つの酸素及び２つの窒素原子、又は１つの硫黄及び２つの窒素原子で置き換えられている
５−員炭素環式環
から選ばれ；
Ｇ−Ｘ−Ｗは：
（ａ）（Ｚ１Ｚ２）Ｃ−Ｎ（Ｒ１）−Ｃ（Ｚ１Ｚ２）；
（ｂ）ＣＨ（Ｒ１）−Ｃ（＝Ｏ）−Ｎ（Ｒ１）；及び
（ｃ）Ｎ（Ｒ１）−Ｃ（＝Ｏ）−ＣＨ（Ｒ１）
から選ばれ、
Ｚ１及びＺ２は、それぞれの存在において独立してＨ，Ｈ；Ｈ，ＯＲ；Ｈ，ＳＲ；Ｈ，Ｎ（Ｒ）２；ならびにＺ１及びＺ２が一緒になって＝Ｏ、＝Ｓ及び＝ＮＲから選ばれる部分を形成する基から選ばれ；但しＺ１とＺ２の対の少なくとも１つは＝Ｏを形成し；
Ｒは独立してＨ、場合により置換されていることができるアルキル、ＯＨ、アルコキシ、ＯＣ（＝Ｏ）Ｒ１ａ、ＯＣ（＝Ｏ）ＮＲ１ｃＲ１ｄ、Ｏ（ＣＨ２）ｐＮＲ１ＣＲ１ｄ、Ｏ（ＣＨ２）ｐＯＲ１ｂ、場合により置換されていることができるアリールアルキル及び場合により置換されていることができるヘテロアリールアルキルから選ばれ；
Ｒ１は独立して：
（ａ）Ｈ、場合により置換されていることができるアルキル、場合により置換されていることができるアリール、場合により置換されていることができるアリールアルキル、場合により置換されていることができるヘテロアリール及び場合により置換されていることができるヘテロアリールアルキル；
（ｂ）Ｃ（＝Ｏ）Ｒ１ａ；
（ｃ）ＯＲ１ｂ；
（ｄ）Ｃ（＝Ｏ）ＮＨＲ１ｂ、ＮＲ１ｃＲ１ｄ、（ＣＨ２）ｐＮＲ１ｃＲ１ｄ、（ＣＨ２）ｐＯＲ１ｂ、Ｏ（ＣＨ２）ｐＯＲ１ｂ及びＯ（ＣＨ２）ｐＮＲ１ｃＲ１ｄ
から選ばれ；
Ｒ１ａは独立して場合により置換されていることができるアルキル、場合により置換されていることができるアリール及び場合により置換されていることができるヘテロアリールから選ばれ；
Ｒ１ｂは独立してＨ及び場合により置換されていることができるアルキルから選ばれ；
Ｒ１ｃ及びＲ１ｄはそれぞれ独立してＨ、場合により置換されていることができるアルキル及び式（ＣＨ２）２−Ｘ１−（ＣＨ２）２の結合基から選ばれ；
Ｘ１は独立してＯ、Ｓ及びＣＨ２から選ばれ；
ＱはＮＲ２、Ｏ、Ｓ、ＮＲ２２、ＣＨＲ２３、Ｘ４ＣＨ（Ｒ２３）、ＣＨ（Ｒ２３）Ｘ４から選ばれ、ここでＸ４はＯ、Ｓ、ＣＨ２、ＮＲ２２及びＮＲ２から選ばれ；
Ｒ２はＨ、ＳＯ２Ｒ２ａ、ＣＯ２Ｒ２ａ、Ｃ（＝Ｏ）Ｒ２ａ、Ｃ（＝Ｏ）ＮＲ２ｃＲ２ｄ、場合により置換されていることができるアルキル、場合により置換されていることができるアルケニル及び場合により置換されていることができるアルキニルから選ばれ、ここで該場合による置換基は１〜約３個のＲ５基であり；
Ｒ２ａは独立して場合により置換されていることができるアルキル、場合により置換されていることができるアリール、場合により置換されていることができるカルボシクリル、場合により置換されていることができるヘテロシクリル、ＯＲ２ｂ、ＣＯＮＨ２、ＮＲ２ｃＲ２ｄ、（ＣＨ２）ｐＮＲ２ｃＲ２ｄ及びＯ（ＣＨ２）ｐＮＲ２ｃＲ２ｄから選ばれ；
Ｒ２ｂはＨ及び場合により置換されていることができるアルキルから選ばれ；
Ｒ２ｃ及びＲ２ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ３及びＲ４はそれぞれ独立して：
（ａ）Ｈ、アリール、ヘテロアリール、Ｆ、Ｃｌ、Ｂｒ、Ｉ、ＣＮ、ＣＦ３、ＮＯ２、ＯＨ、ＯＲ９、Ｏ（ＣＨ２）ｐＮＲ１１Ｒ１２、ＯＣ（＝Ｏ）Ｒ９、ＯＣ（＝Ｏ）ＮＲ１１Ｒ１２、Ｏ（ＣＨ２）ｐＯＲ１０、ＣＨ２ＯＲ１０、ＮＲ１１Ｒ１２、ＮＲ１０Ｓ（＝Ｏ）２Ｒ９及びＮＲ１０Ｃ（＝Ｏ）Ｒ９；
（ｂ）ＣＨ２ＯＲ１４；
（ｃ）ＮＲ１０Ｃ（＝Ｏ）ＮＲ１１Ｒ１２、ＣＯ２Ｒ１０、Ｃ（＝Ｏ）Ｒ９、Ｃ（＝Ｏ）ＮＲ１１Ｒ１２、ＣＨ＝ＮＯＲ１０、ＣＨ＝ＮＲ１０、（ＣＨ２）ｐＮＲ１１Ｒ１２、（ＣＨ２）ｐＮＨＲ１４及びＣＨ＝ＮＮＲ１１Ｒ１２；
（ｄ）Ｓ（Ｏ）ｙＲ９、（ＣＨ２）ｐＳ（Ｏ）ｙＲ９及びＣＨ２Ｓ（Ｏ）ｙＲ１４；
（ｅ）場合による置換基が１〜約３個のＲ５基である、場合により置換されていることができるアルキル、場合により置換されていることができるアルケニル及び場合により置換されていることができるアルキニル
から選ばれ；
Ｒ９はアルキル、（ＣＨ２）ｒアリール及び（ＣＨ２）ｒヘテロアリールから選ばれ；
Ｒ１０はＨ、アルキル、（ＣＨ２）ｒアリール及び（ＣＨ２）ｒヘテロアリールから選ばれ；
Ｒ１１及びＲ１２は独立してＨ及び場合により置換されていることができるアルキルから選ばれるか、又は一緒になって式（ＣＨ２）２−Ｘ１−（ＣＨ２）２の結合基を形成し；
Ｒ５はアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、ＣＮ、ＮＯ２、ＯＨ、ＯＲ９、Ｘ２（ＣＨ２）ｐＮＲ１１Ｒ１２、Ｘ２（ＣＨ２）ｐＣ（＝Ｏ）ＮＲ１１Ｒ１２、Ｘ２（ＣＨ２）ｐＯＣ（＝Ｏ）ＮＲ１１Ｒ１２、Ｘ２（ＣＨ２）ｐＣＯ２Ｒ９、Ｘ２（ＣＨ２）ｐＳ（Ｏ）ｙＲ９、Ｘ２（ＣＨ２）ｐＮＲ１０Ｃ（＝Ｏ）ＮＲ１１Ｒ１２、ＯＣ（＝Ｏ）Ｒ９、ＯＣ（＝Ｏ）ＮＨＲ１０、Ｏ−テトラヒドロピラニル、ＮＲ１１Ｒ１２、ＮＲ１０Ｃ（＝Ｏ）Ｒ９、ＮＲ１０ＣＯ２Ｒ９、ＮＲ１０Ｃ（＝Ｏ）ＮＲ１１Ｒ１２、ＮＨＣ（＝ＮＨ）ＮＨ２、ＮＲ１０Ｓ（Ｏ）２Ｒ９、Ｓ（Ｏ）ｙＲ９、ＣＯ２Ｒ１０、Ｃ（＝Ｏ）ＮＲ１１Ｒ１２、Ｃ（＝Ｏ）Ｒ９、ＣＨ２ＯＲ１０、ＣＨ＝ＮＮＲ１１Ｒ１２、ＣＨ＝ＮＯＲ１０、ＣＨ＝ＮＲ９、ＣＨ＝ＮＮＨＣＨ（Ｎ＝ＮＨ）ＮＨ２、Ｓ（＝Ｏ）２ＮＲ１１Ｒ１２、Ｐ（＝Ｏ）（ＯＲ１０）２、ＯＲ１４及び単糖から選ばれ、ここで単糖のそれぞれのヒドロキシル基は独立して非置換であるか、又はＨ、アルキル、アルキルカルボニルオキシもしくはアルコキシにより置き換えられており；
Ｘ２はＯ、Ｓ又はＮＲ１０であり；
Ｙは：
（ａ）直接結合；
（ｂ）場合による置換基が１〜約３個のＲ１９基である、場合により置換されていることができるＣＨ２、ＣＨ２ＣＨ２又はＣＨ２ＣＨ２ＣＨ２；ならびに
（ｃ）ＣＨ＝ＣＨ、ＣＨ（ＯＨ）−ＣＨ（ＯＨ）、Ｏ、Ｓ、Ｓ（＝Ｏ）、Ｓ（＝Ｏ）２、Ｃ（Ｒ１８）２、Ｃ＝Ｃ（Ｒ１９）２、Ｃ（＝Ｏ）、Ｃ（＝ＮＯＲ２０）、Ｃ（ＯＲ２０）Ｒ２０、Ｃ（＝Ｏ）ＣＨ（Ｒ１８）、ＣＨ（Ｒ１８）Ｃ（＝Ｏ）、Ｃ（＝ＮＯＲ２０）ＣＨ（Ｒ１８）、ＣＨＲ２１Ｃ（＝ＮＯＲ２０）、Ｃ（＝Ｏ）Ｎ（Ｒ２１）、Ｎ（Ｒ２１）Ｃ（＝Ｏ）、ＺがＣ（Ｒ２０）２、Ｏ、Ｓ、ＣＯ２Ｒ２０、Ｃ（＝ＮＯＲ２０）及びＮ（Ｒ２０）から選ばれるＣＨ２Ｚ、ＺＣＨ２及びＣＨ２ＺＣＨ２
から選ばれ；
Ｒ１８は独立してＨ、ＳＯ２Ｒ１８ａ、ＣＯ２Ｒ１８ａ、Ｃ（＝Ｏ）Ｒ１８ａ、Ｃ（＝Ｏ）ＮＲ１８ｃＲ１８ｄ、場合により置換されていることができるアルキル、場合により置換されていることができるアルケニル及び場合により置換されていることができるアルキニルから選ばれ；
Ｒ１８ａは独立して場合により置換されていることができるアルキル、場合により置換されていることができるアリール、場合により置換されていることができるカルボシクリル及び場合により置換されていることができるヘテロシクリルから選ばれ；
Ｒ１８ｃ及びＲ１８ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ１９は独立してＲ２０、チオアルキル、ハロゲン、場合により置換されていることができるアルキル、場合により置換されていることができるアルケニル及び場合により置換されていることができるアルキニルから選ばれ；
Ｒ２０は独立してＨ、アルキル、ＯＨ、アルコキシ、ＯＣ（＝Ｏ）Ｒ１８ａ、ＯＣ（＝Ｏ）ＮＲ１８ｃＲ１８ｄ、ＯＣ（＝Ｓ）ＮＲ１８ｃＲ１８ｄ、Ｏ（ＣＨ２）ｐＮＲ１８ｃＲ１８ｄ、Ｏ（ＣＨ２）ｐＯＲ２１、場合により置換されていることができるアリールアルキル、場合により置換されていることができるヘテロシクリルアルキル及び場合により置換されていることができるカルボシクリルから選ばれ；
Ｒ２１は独立してＨ及びアルキルから選ばれ；
Ｑ’は：
（ａ）直接結合；
（ｂ）ＮＲ６；
（ｃ）場合により置換されていることができるＣＨ２、ＣＨ２ＣＨ２又はＣＨ２ＣＨ２ＣＨ２；
（ｄ）ＣＲ２２Ｒ２４；ならびに
（ｅ）ＣＨ＝ＣＨ、ＣＨ（ＯＨ）ＣＨ（ＯＨ）、Ｏ、Ｓ、Ｓ（＝Ｏ）、Ｓ（＝Ｏ）２、Ｃ（＝Ｏ）、Ｃ（＝ＮＯＲ１１）、Ｃ（ＯＲ１１）（Ｒ１２）、Ｃ（＝Ｏ）ＣＨ（Ｒ１３）、ＣＨ（Ｒ１３）Ｃ（＝Ｏ）、Ｃ（Ｒ１０）２、Ｃ（＝ＮＯＲ１１）ＣＨ（Ｒ１３）、ＣＨ（Ｒ１３）Ｃ（＝ＮＯＲ１１）、ＣＨ２Ｚ’、Ｚ’−ＣＨ２及びＣＨ２Ｚ’ＣＨ２
から選ばれ；
Ｚ’はＣ（Ｒ１１）（ＯＲ１２）、Ｏ、Ｓ、Ｃ（＝Ｏ）、Ｃ（＝ＮＯＲ１１）及びＮＲ１１から選ばれ；
Ｒ６はＨ、ＳＯ２Ｒ２ａ、ＣＯ２Ｒ２ａ、Ｃ（＝Ｏ）Ｒ２ａ、Ｃ（＝Ｏ）ＮＲ１ｃＲ１ｄ、場合により置換されていることができるアルキル、場合により置換されていることができるアルケニル及び場合により置換されていることができるアルキニルから選ばれ、ここで該場合による置換基は１〜約３個のＲ５基であるか；あるいは
また、ＱがＮＲ２であり、Ｑ’がＮＲ６又はＣ（Ｒ１０）２である場合、Ｒ２及びＲ６又はＲ１０の１つは一緒になって：
【化１１】
2002525329.tif 000011
を形成し、
ここでＲ７及びＲ８はそれぞれ独立してＨ、ＯＨ、アルキル、アルコキシ、場合により置換されていることができるアリールアルキル、場合により置換されていることができるヘテロアリールアルキル、（ＣＨ２）ｐＯＲ１０、（ＣＨ２）ｐＯＣ（＝Ｏ）ＮＲ１１Ｒ１２及び（ＣＨ２）ｐＮＲ１１Ｒ１２から選ばれるか；あるいはＲ７とＲ８は一緒になって式ＣＨ２−Ｘ３−ＣＨ２の結合基を形成し；
Ｘ３は結合、Ｏ、Ｓ又はＮＲ１０であり；
Ｊは結合、Ｏ、ＣＨ＝ＣＨ、Ｓ、Ｃ（＝Ｏ）、ＣＨ（ＯＲ１０）、Ｎ（Ｒ１０）、Ｎ（ＯＲ１０）、ＣＨ（ＮＲ１１Ｒ１２）、Ｃ（＝Ｏ）Ｎ（Ｒ１７）、Ｎ（Ｒ１７）Ｃ（＝Ｏ）、Ｎ（Ｓ（Ｏ）ｙＲ９）、Ｎ（Ｓ（Ｏ）ｙＮＲ１１Ｒ１２）、Ｎ（Ｃ（＝Ｏ）Ｒ１７）、Ｃ（Ｒ１５Ｒ１６）、Ｎ＋（Ｏ−）（Ｒ１０）、ＣＨ（ＯＨ）ＣＨ（ＯＨ）及びＣＨ（Ｏ（Ｃ＝Ｏ）Ｒ９）ＣＨ（ＯＣ（＝Ｏ）Ｒ９）から選ばれ；
Ｊ’はＯ、Ｓ、Ｎ（Ｒ１０）、Ｎ＋（Ｏ−）（Ｒ１０）、Ｎ（ＯＲ１０）及びＣＨ２から選ばれ；
Ｒ１３はアルキル、アリール及びアリールアルキルから選らばれ；
Ｒ１４はカルボキシル基のヒドロキシル基が除去された後のアミノ酸の残基であり；
Ｒ１５及びＲ１６は独立してＨ、ＯＨ、Ｃ（＝Ｏ）Ｒ１０、Ｏ（Ｃ＝Ｏ）Ｒ９、アルキル−ＯＨ、アルコキシ及びＣＯ２Ｒ１０から選ばれ；
Ｒ１７はＨ、アルキル、アリール及びヘテロアリールから選ばれ；
Ｒ２２は
【化１２】
2002525329.tif 000012
であり、
Ｘ５及びＸ６は独立してＯ、Ｎ、Ｓ、ＣＨＲ２６、Ｃ（ＯＨ）Ｒ２６、Ｃ（＝Ｏ）及びＣＨ２＝Ｃから選ばれ；
Ｘ７及びＸ８は独立して結合、Ｏ、Ｎ、Ｓ、ＣＨＲ２６、Ｃ（ＯＨ）Ｒ２６、Ｃ（＝Ｏ）及びＣＨ２＝Ｃから選ばれ；
Ｘ９及びＸ１０は独立して結合、Ｏ、Ｎ、Ｓ、Ｃ（＝Ｏ）及びＣＨＲ２６から選ばれ；
Ｘ１１は結合又は場合によりＮＲ１１Ｒ１２もしくはＯＲ３０で置換されていることができるアルキレンであり；
Ｒ２３はＨ、ＯＲ２７、ＳＲ２７、Ｒ２２及びＲ２８から選ばれ；
Ｒ２４はＲ、チオアルキル及びハロゲンから選ばれ；
Ｒ２５はＲ１及びＯＣ（＝Ｏ）ＮＲ１ｃＲ１ｄから選ばれ；
Ｒ２６はＨ、場合により置換されていることができるアルキル及び場合により置換されていることができるアルコキシから選ばれ、
ここで
（１）環Ｇは０〜約３個の環複素原子を含有し；
（２）環Ｇのいずれか２つの隣接ヒドロキシル基は一緒になってジオキソラン環を形成することができ；
（３）環Ｇのいずれか２つの隣接環炭素原子は一緒になって縮合アリールもしくはヘテロアリール環を形成することができ；但し；
（ａ）Ｘ１１が結合の場合、環Ｇはヘテロアリールであることができ；
（ｂ）環Ｇは：
（ｉ）少なくとも１つの飽和されている炭素原子を含有し；
（ｉｉ）２つの隣接する環Ｏ原子を含有せず；
（ｉｉｉ）最高で２個のＣ（＝Ｏ）基を含有し；
Ｒ２７はＨ及びアルキルから選ばれ；
Ｒ２８はアリール、アリールアルキル、ＳＯ２Ｒ２９、ＣＯ２Ｒ２９、Ｃ（＝Ｏ）Ｒ２９、場合により置換されていることができるアルキル、場合により置換されていることができるアルケニル及び場合により置換されていることができるアルキニルから選ばれ；
Ｒ２９はアルキル、アリール及びヘテロアリールから選ばれ；
Ｒ３０はＨ、アルキル、アシル及びＣ（＝Ｏ）ＮＲ１１Ｒ１２から選ばれ；
ｍは独立して０、１及び２から選ばれ；
ｐは独立して１、２、３及び４から選ばれ；
ｒは独立して０、１及び２から選ばれ；
ｙは独立して０、１及び２から選ばれ；
ｚは０、１、２、３及び４から選ばれ；
但し、Ｙ及びＱ’の少なくとも１つは直接結合であり、Ｙが直接結合の場合にはＱ’は直接結合以外であり、Ｑ’が直接結合の場合にはＹは直接結合以外であり、環Ｂ及びＦがフェニルであり、Ｇ−Ｘ−ＷがＣＨ２ＮＨＣ（＝Ｏ）であり、Ｙが直接結合であり、ＱがＮＲ２であり、Ｑ’がＮＲ６であり、ここでＲ６がＲ２と一緒になって
【化１３】
2002525329.tif 000013
を形成する場合、Ｒ３はＣＨ２ＳＣＨ２ＣＨ３以外である］
を有する式Ｉの縮合ピロロカルバゾールあるいはそれらの立体異性体又は製薬学的に許容され得る塩の形態を有効成分として含有することを特徴とする、患者における平衡感覚の喪失を予防するための薬剤。
【請求項１４】  Ｙが直接結合であり；
ＱがＮＲ２である
請求項１３に従う薬剤。
【請求項１５】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２及びＣ（＝Ｏ）ＮＲ１Ｃ（＝Ｏ）から選ばれ、Ｑ’がＮＲ６である請求項１４に従う薬剤。
【請求項１６】  縮合ピロロカルバゾールが式：
【化１４】
2002525329.tif 000014
を有する請求項１５に従う方法。
【請求項１７】  縮合ピロロカルバゾールのＲ３及びＲ４がＨ、アルキル、Ｃｌ、Ｂｒ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項１６に従う薬剤。
【請求項１８】  縮合ピロロカルバゾールが式：
【化１５】
2002525329.tif 000015
を有する請求項１７に従う薬剤。
【請求項１９】  Ｑ’がＣＨ２、ＣＨ２ＣＨ２、Ｓ又はＣＨ（ＣＨ（ＣＨ３）（ＯＨ））である
請求項１４に従う薬剤。
【請求項２０】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２から選ばれる請求項１９に従う薬剤。
【請求項２１】  縮合ピロロカルバゾールが式
【化１６】
2002525329.tif 000016
を有する請求項２０に従う薬剤。
【請求項２２】  Ｒ２がＨ、ＣＨ２ＣＨ２ＯＨ、ＣＨ２ＣＨ２ＮＨＣ（＝Ｏ）−Ｃ６Ｈ５−ＯＨ、ＣＨ２ＣＨ２ＣＨ２ＯＨであり、縮合ピロロカルバゾールのＲ３及びＲ４がＨ、アルキル、Ｃｌ、Ｂｒ、アルコキシ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項２１に従う薬剤。
【請求項２３】  縮合ピロロカルバゾールが式：
【化１７】
2002525329.tif 000017
を有する請求項２２に従う薬剤。
【請求項２４】  縮合ピロロカルバゾールが式：
【化１８】
2002525329.tif 000018
を有する請求項２０に従う薬剤。
【請求項２５】  式：
【化１９】
2002525329.tif 000019
［式中：
環Ｄはフェニル及び二重結合ａ−ｂを有するシクロヘキセンから選ばれ；
環Ｂ及び環Ｆは独立して：
（ａ）１〜３個の炭素原子が複素原子で置き換えられていることができる６−員炭素環式環；
（ｂ）５−員炭素環式環；及び
（ｃ）（１）１つの炭素原子が酸素、窒素もしくは硫黄原子で置き換えられているか；
（２）２つの炭素原子が硫黄及び窒素原子、酸素及び窒素原子、又は２つの窒素原子で置き換えられているか；あるいは
（３）３個の炭素原子が３個の窒素原子、１つの酸素及び２つの窒素原子、又は１つの硫黄及び２つの窒素原子で置き換えられている
５−員炭素環式環
から選ばれ；
Ｇ−Ｘ−Ｗは：
（ａ）（Ｚ１Ｚ２）Ｃ−Ｎ（Ｒ１）−Ｃ（Ｚ１Ｚ２）；
（ｂ）ＣＨ（Ｒ１）−Ｃ（＝Ｏ）−Ｎ（Ｒ１）；及び
（ｃ）Ｎ（Ｒ１）−Ｃ（＝Ｏ）−ＣＨ（Ｒ１）
から選ばれ、
Ｚ１及びＺ２は、それぞれの存在において独立してＨ，Ｈ；Ｈ，ＯＲ；Ｈ，ＳＲ；Ｈ，Ｎ（Ｒ）２；ならびにＺ１及びＺ２が一緒になって＝Ｏ、＝Ｓ及び＝ＮＲから選ばれる部分を形成する基から選ばれ；但しＺ１とＺ２の対の少なくとも１つは＝Ｏを形成し；
Ｒは独立してＨ、場合により置換されていることができるアルキル、ＯＨ、アルコキシ、ＯＣ（＝Ｏ）Ｒ１ａ、ＯＣ（＝Ｏ）ＮＲ１ｃＲ１ｄ、Ｏ（ＣＨ２）ｐＮＲ１ＣＲ１ｄ、Ｏ（ＣＨ２）ｐＯＲ１ｂ、場合により置換されていることができるアリールアルキル及び場合により置換されていることができるヘテロアリールアルキルから選ばれ；
Ｒ１は独立して：
（ａ）Ｈ、場合により置換されていることができるアルキル、場合により置換されていることができるアリール、場合により置換されていることができるアリールアルキル、場合により置換されていることができるヘテロアリール及び場合により置換されていることができるヘテロアリールアルキル；
（ｂ）Ｃ（＝Ｏ）Ｒ１ａ；
（ｃ）ＯＲ１ｂ；
（ｄ）Ｃ（＝Ｏ）ＮＨＲ１ｂ、ＮＲ１ｃＲ１ｄ、（ＣＨ２）ｐＮＲ１ｃＲ１ｄ、（ＣＨ２）ｐＯＲ１ｂ、Ｏ（ＣＨ２）ｐＯＲ１ｂ及びＯ（ＣＨ２）ｐＮＲ１ｃＲ１ｄ
から選ばれ；
Ｒ１ａは独立して場合により置換されていることができるアルキル、場合により置換されていることができるアリール及び場合により置換されていることができるヘテロアリールから選ばれ；
Ｒ１ｂは独立してＨ及び場合により置換されていることができるアルキルから選ばれ；
Ｒ１ｃ及びＲ１ｄはそれぞれ独立してＨ、場合により置換されていることができるアルキル及び式（ＣＨ２）２−Ｘ１−（ＣＨ２）２の結合基から選ばれ；
Ｘ１は独立してＯ、Ｓ及びＣＨ２から選ばれ；
ＱはＮＲ２、Ｏ、Ｓ、ＮＲ２２、ＣＨＲ２３、Ｘ４ＣＨ（Ｒ２３）、ＣＨ（Ｒ２３）Ｘ４から選ばれ、ここでＸ４はＯ、Ｓ、ＣＨ２、ＮＲ２２及びＮＲ２から選ばれ；
Ｒ２はＨ、ＳＯ２Ｒ２ａ、ＣＯ２Ｒ２ａ、Ｃ（＝Ｏ）Ｒ２ａ、Ｃ（＝Ｏ）ＮＲ２ｃＲ２ｄ、場合により置換されていることができるアルキル、場合により置換されていることができるアルケニル及び場合により置換されていることができるアルキニルから選ばれ、ここで該場合による置換基は１〜約３個のＲ５基であり；
Ｒ２ａは独立して場合により置換されていることができるアルキル、場合により置換されていることができるアリール、場合により置換されていることができるカルボシクリル、場合により置換されていることができるヘテロシクリル、ＯＲ２ｂ、ＣＯＮＨ２、ＮＲ２ｃＲ２ｄ、（ＣＨ２）ｐＮＲ２ｃＲ２ｄ及びＯ（ＣＨ２）ｐＮＲ２ｃＲ２ｄから選ばれ；
Ｒ２ｂはＨ及び場合により置換されていることができるアルキルから選ばれ；
Ｒ２ｃ及びＲ２ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ３及びＲ４はそれぞれ独立して：
（ａ）Ｈ、アリール、ヘテロアリール、Ｆ、Ｃｌ、Ｂｒ、Ｉ、ＣＮ、ＣＦ３、ＮＯ２、ＯＨ、ＯＲ９、Ｏ（ＣＨ２）ｐＮＲ１１Ｒ１２、ＯＣ（＝Ｏ）Ｒ９、ＯＣ（＝Ｏ）ＮＲ１１Ｒ１２、Ｏ（ＣＨ２）ｐＯＲ１０、ＣＨ２ＯＲ１０、ＮＲ１１Ｒ１２、ＮＲ１０Ｓ（＝Ｏ）２Ｒ９及びＮＲ１０Ｃ（＝Ｏ）Ｒ９；
（ｂ）ＣＨ２ＯＲ１４；
（ｃ）ＮＲ１０Ｃ（＝Ｏ）ＮＲ１１Ｒ１２、ＣＯ２Ｒ１０、Ｃ（＝Ｏ）Ｒ９、Ｃ（＝Ｏ）ＮＲ１１Ｒ１２、ＣＨ＝ＮＯＲ１０、ＣＨ＝ＮＲ１０、（ＣＨ２）ｐＮＲ１１Ｒ１２、（ＣＨ２）ｐＮＨＲ１４及びＣＨ＝ＮＮＲ１１Ｒ１２；
（ｄ）Ｓ（Ｏ）ｙＲ９、（ＣＨ２）ｐＳ（Ｏ）ｙＲ９及びＣＨ２Ｓ（Ｏ）ｙＲ１４；
（ｅ）場合による置換基が１〜約３個のＲ５基である、場合により置換されていることができるアルキル、場合により置換されていることができるアルケニル及び場合により置換されていることができるアルキニル
から選ばれ；
Ｒ９はアルキル、（ＣＨ２）ｒアリール及び（ＣＨ２）ｒヘテロアリールから選ばれ；
Ｒ１０はＨ、アルキル、（ＣＨ２）ｒアリール及び（ＣＨ２）ｒヘテロアリールから選ばれ；
Ｒ１１及びＲ１２は独立してＨ及び場合により置換されていることができるアルキルから選ばれるか、又は一緒になって式（ＣＨ２）２−Ｘ１−（ＣＨ２）２の結合基を形成し；
Ｒ５はアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、ＣＮ、ＮＯ２、ＯＨ、ＯＲ９、Ｘ２（ＣＨ２）ｐＮＲ１１Ｒ１２、Ｘ２（ＣＨ２）ｐＣ（＝Ｏ）ＮＲ１１Ｒ１２、Ｘ２（ＣＨ２）ｐＯＣ（＝Ｏ）ＮＲ１１Ｒ１２、Ｘ２（ＣＨ２）ｐＣＯ２Ｒ９、Ｘ２（ＣＨ２）ｐＳ（Ｏ）ｙＲ９、Ｘ２（ＣＨ２）ｐＮＲ１０Ｃ（＝Ｏ）ＮＲ１１Ｒ１２、ＯＣ（＝Ｏ）Ｒ９、ＯＣ（＝Ｏ）ＮＨＲ１０、Ｏ−テトラヒドロピラニル、ＮＲ１１Ｒ１２、ＮＲ１０Ｃ（＝Ｏ）Ｒ９、ＮＲ１０ＣＯ２Ｒ９、ＮＲ１０Ｃ（＝Ｏ）ＮＲ１１Ｒ１２、ＮＨＣ（＝ＮＨ）ＮＨ２、ＮＲ１０Ｓ（Ｏ）２Ｒ９、Ｓ（Ｏ）ｙＲ９、ＣＯ２Ｒ１０、Ｃ（＝Ｏ）ＮＲ１１Ｒ１２、Ｃ（＝Ｏ）Ｒ９、ＣＨ２ＯＲ１０、ＣＨ＝ＮＮＲ１１Ｒ１２、ＣＨ＝ＮＯＲ１０、ＣＨ＝ＮＲ９、ＣＨ＝ＮＮＨＣＨ（Ｎ＝ＮＨ）ＮＨ２、Ｓ（＝Ｏ）２ＮＲ１１Ｒ１２、Ｐ（＝Ｏ）（ＯＲ１０）２、ＯＲ１４及び単糖から選ばれ、ここで単糖のそれぞれのヒドロキシル基は独立して非置換であるか、又はＨ、アルキル、アルキルカルボニルオキシもしくはアルコキシにより置き換えられており；
Ｘ２はＯ、Ｓ又はＮＲ１０であり；
Ｙは：
（ａ）直接結合；
（ｂ）場合による置換基が１〜約３個のＲ１９基である、場合により置換されていることができるＣＨ２、ＣＨ２ＣＨ２又はＣＨ２ＣＨ２ＣＨ２；ならびに
（ｃ）ＣＨ＝ＣＨ、ＣＨ（ＯＨ）−ＣＨ（ＯＨ）、Ｏ、Ｓ、Ｓ（＝Ｏ）、Ｓ（＝Ｏ）２、Ｃ（Ｒ１８）２、Ｃ＝Ｃ（Ｒ１９）２、Ｃ（＝Ｏ）、Ｃ（＝ＮＯＲ２０）、Ｃ（ＯＲ２０）Ｒ２０、Ｃ（＝Ｏ）ＣＨ（Ｒ１８）、ＣＨ（Ｒ１８）Ｃ（＝Ｏ）、Ｃ（＝ＮＯＲ２０）ＣＨ（Ｒ１８）、ＣＨＲ２１Ｃ（＝ＮＯＲ２０）、Ｃ（＝Ｏ）Ｎ（Ｒ２１）、Ｎ（Ｒ２１）Ｃ（＝Ｏ）、ＺがＣ（Ｒ２０）２、Ｏ、Ｓ、ＣＯ２Ｒ２０、Ｃ（＝ＮＯＲ２０）及びＮ（Ｒ２０）から選ばれるＣＨ２Ｚ、ＺＣＨ２及びＣＨ２ＺＣＨ２
から選ばれ；
Ｒ１８は独立してＨ、ＳＯ２Ｒ１８ａ、ＣＯ２Ｒ１８ａ、Ｃ（＝Ｏ）Ｒ１８ａ、Ｃ（＝Ｏ）ＮＲ１８ｃＲ１８ｄ、場合により置換されていることができるアルキル、場合により置換されていることができるアルケニル及び場合により置換されていることができるアルキニルから選ばれ；
Ｒ１８ａは独立して場合により置換されていることができるアルキル、場合により置換されていることができるアリール、場合により置換されていることができるカルボシクリル及び場合により置換されていることができるヘテロシクリルから選ばれ；
Ｒ１８ｃ及びＲ１８ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ１９は独立してＲ２０、チオアルキル、ハロゲン、場合により置換されていることができるアルキル、場合により置換されていることができるアルケニル及び場合により置換されていることができるアルキニルから選ばれ；
Ｒ２０は独立してＨ、アルキル、ＯＨ、アルコキシ、ＯＣ（＝Ｏ）Ｒ１８ａ、ＯＣ（＝Ｏ）ＮＲ１８ｃＲ１８ｄ、ＯＣ（＝Ｓ）ＮＲ１８ｃＲ１８ｄ、Ｏ（ＣＨ２）ｐＮＲ１８ｃＲ１８ｄ、Ｏ（ＣＨ２）ｐＯＲ２１、場合により置換されていることができるアリールアルキル、場合により置換されていることができるヘテロシクリルアルキル及び場合により置換されていることができるカルボシクリルから選ばれ；
Ｒ２１は独立してＨ及びアルキルから選ばれ；
Ｑ’は：
（ａ）直接結合；
（ｂ）ＮＲ６；
（ｃ）場合により置換されていることができるＣＨ２、ＣＨ２ＣＨ２又はＣＨ２ＣＨ２ＣＨ２；
（ｄ）ＣＲ２２Ｒ２４；ならびに
（ｅ）ＣＨ＝ＣＨ、ＣＨ（ＯＨ）ＣＨ（ＯＨ）、Ｏ、Ｓ、Ｓ（＝Ｏ）、Ｓ（＝Ｏ）２、Ｃ（＝Ｏ）、Ｃ（＝ＮＯＲ１１）、Ｃ（ＯＲ１１）（Ｒ１２）、Ｃ（＝Ｏ）ＣＨ（Ｒ１３）、ＣＨ（Ｒ１３）Ｃ（＝Ｏ）、Ｃ（Ｒ１０）２、Ｃ（＝ＮＯＲ１１）ＣＨ（Ｒ１３）、ＣＨ（Ｒ１３）Ｃ（＝ＮＯＲ１１）、ＣＨ２Ｚ’、Ｚ’−ＣＨ２及びＣＨ２Ｚ’ＣＨ２
から選ばれ；
Ｚ’はＣ（Ｒ１１）（ＯＲ１２）、Ｏ、Ｓ、Ｃ（＝Ｏ）、Ｃ（＝ＮＯＲ１１）及びＮＲ１１から選ばれ；
Ｒ６はＨ、ＳＯ２Ｒ２ａ、ＣＯ２Ｒ２ａ、Ｃ（＝Ｏ）Ｒ２ａ、Ｃ（＝Ｏ）ＮＲ１ｃＲ１ｄ、場合により置換されていることができるアルキル、場合により置換されていることができるアルケニル及び場合により置換されていることができるアルキニルから選ばれ、ここで該場合による置換基は１〜約３個のＲ５基であるか；あるいは
また、ＱがＮＲ２であり、Ｑ’がＮＲ６又はＣ（Ｒ１０）２である場合、Ｒ２及びＲ６又はＲ１０の１つは一緒になって：
【化２０】
2002525329.tif 000020
を形成し、
ここでＲ７及びＲ８はそれぞれ独立してＨ、ＯＨ、アルキル、アルコキシ、場合により置換されていることができるアリールアルキル、場合により置換されていることができるヘテロアリールアルキル、（ＣＨ２）ｐＯＲ１０、（ＣＨ２）ｐＯＣ（＝Ｏ）ＮＲ１１Ｒ１２及び（ＣＨ２）ｐＮＲ１１Ｒ１２から選ばれるか；あるいはＲ７とＲ８は一緒になって式ＣＨ２−Ｘ３−ＣＨ２の結合基を形成し；
Ｘ３は結合、Ｏ、Ｓ又はＮＲ１０であり；
Ｊは結合、Ｏ、ＣＨ＝ＣＨ、Ｓ、Ｃ（＝Ｏ）、ＣＨ（ＯＲ１０）、Ｎ（Ｒ１０）、Ｎ（ＯＲ１０）、ＣＨ（ＮＲ１１Ｒ１２）、Ｃ（＝Ｏ）Ｎ（Ｒ１７）、Ｎ（Ｒ１７）Ｃ（＝Ｏ）、Ｎ（Ｓ（Ｏ）ｙＲ９）、Ｎ（Ｓ（Ｏ）ｙＮＲ１１Ｒ１２）、Ｎ（Ｃ（＝Ｏ）Ｒ１７）、Ｃ（Ｒ１５Ｒ１６）、Ｎ＋（Ｏ−）（Ｒ１０）、ＣＨ（ＯＨ）ＣＨ（ＯＨ）及びＣＨ（Ｏ（Ｃ＝Ｏ）Ｒ９）ＣＨ（ＯＣ（＝Ｏ）Ｒ９）から選ばれ；
Ｊ’はＯ、Ｓ、Ｎ（Ｒ１０）、Ｎ＋（Ｏ−）（Ｒ１０）、Ｎ（ＯＲ１０）及びＣＨ２から選ばれ；
Ｒ１３はアルキル、アリール及びアリールアルキルから選らばれ；
Ｒ１４はカルボキシル基のヒドロキシル基が除去された後のアミノ酸の残基であり；
Ｒ１５及びＲ１６は独立してＨ、ＯＨ、Ｃ（＝Ｏ）Ｒ１０、Ｏ（Ｃ＝Ｏ）Ｒ９、アルキル−ＯＨ、アルコキシ及びＣＯ２Ｒ１０から選ばれ；
Ｒ１７はＨ、アルキル、アリール及びヘテロアリールから選ばれ；
Ｒ２２は
【化２１】
2002525329.tif 000021
であり、
Ｘ５及びＸ６は独立してＯ、Ｎ、Ｓ、ＣＨＲ２６、Ｃ（ＯＨ）Ｒ２６、Ｃ（＝Ｏ）及びＣＨ２＝Ｃから選ばれ；
Ｘ７及びＸ８は独立して結合、Ｏ、Ｎ、Ｓ、ＣＨＲ２６、Ｃ（ＯＨ）Ｒ２６、Ｃ（＝Ｏ）及びＣＨ２＝Ｃから選ばれ；
Ｘ９及びＸ１０は独立して結合、Ｏ、Ｎ、Ｓ、Ｃ（＝Ｏ）及びＣＨＲ２６から選ばれ；
Ｘ１１は結合又は場合によりＮＲ１１Ｒ１２もしくはＯＲ３０で置換されていることができるアルキレンであり；
Ｒ２３はＨ、ＯＲ２７、ＳＲ２７、Ｒ２２及びＲ２８から選ばれ；
Ｒ２４はＲ、チオアルキル及びハロゲンから選ばれ；
Ｒ２５はＲ１及びＯＣ（＝Ｏ）ＮＲ１ｃＲ１ｄから選ばれ；
Ｒ２６はＨ、場合により置換されていることができるアルキル及び場合により置換されていることができるアルコキシから選ばれ、
ここで
（１）環Ｇは０〜約３個の環複素原子を含有し；
（２）環Ｇのいずれか２つの隣接ヒドロキシル基は一緒になってジオキソラン環を形成することができ；
（３）環Ｇのいずれか２つの隣接環炭素原子は一緒になって縮合アリールもしくはヘテロアリール環を形成することができ；但し；
（ａ）Ｘ１１が結合の場合、環Ｇはヘテロアリールであることができ；
（ｂ）環Ｇは：
（ｉ）少なくとも１つの飽和されている炭素原子を含有し；
（ｉｉ）２つの隣接する環Ｏ原子を含有せず；
（ｉｉｉ）最高で２個のＣ（＝Ｏ）基を含有し；
Ｒ２７はＨ及びアルキルから選ばれ；
Ｒ２８はアリール、アリールアルキル、ＳＯ２Ｒ２９、ＣＯ２Ｒ２９、Ｃ（＝Ｏ）Ｒ２９、場合により置換されていることができるアルキル、場合により置換されていることができるアルケニル及び場合により置換されていることができるアルキニルから選ばれ；
Ｒ２９はアルキル、アリール及びヘテロアリールから選ばれ；
Ｒ３０はＨ、アルキル、アシル及びＣ（＝Ｏ）ＮＲ１１Ｒ１２から選ばれ；
ｍは独立して０、１及び２から選ばれ；
ｐは独立して１、２、３及び４から選ばれ；
ｒは独立して０、１及び２から選ばれ；
ｙは独立して０、１及び２から選ばれ；
ｚは０、１、２、３及び４から選ばれ；
但し、Ｙ及びＱ’の少なくとも１つは直接結合であり、Ｙが直接結合の場合にはＱ’は直接結合以外であり、Ｑ’が直接結合の場合にはＹは直接結合以外であり、環Ｂ及びＦがフェニルであり、Ｇ−Ｘ−ＷがＣＨ２ＮＨＣ（＝Ｏ）であり、Ｙが直接結合であり、ＱがＮＲ２であり、Ｑ’がＮＲ６であり、ここでＲ６がＲ２と一緒になって
【化２２】
2002525329.tif 000022
を形成する場合、Ｒ３はＣＨ２ＳＣＨ２ＣＨ３以外である］
を有する式Ｉの縮合ピロロカルバゾールあるいはそれらの立体異性体又は製薬学的に許容され得る塩の形態を有効成分として含有することを特徴とする、患者における感覚毛細胞の死を予防するための薬剤。
【請求項２６】  Ｙが直接結合であり；
ＱがＮＲ２である
請求項２５に従う薬剤。
【請求項２７】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２及びＣ（＝Ｏ）ＮＲ１Ｃ（＝Ｏ）から選ばれ、Ｑ’がＮＲ６である請求項２６に従う薬剤。
【請求項２８】  縮合ピロロカルバゾールが式：
【化２３】
2002525329.tif 000023
を有する請求項２７に従う薬剤。
【請求項２９】  縮合ピロロカルバゾールのＲ３及びＲ４がＨ、アルキル、Ｃｌ、Ｂｒ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項２８に従う薬剤。
【請求項３０】  縮合ピロロカルバゾールが式：
【化２４】
2002525329.tif 000024
を有する請求項２９に従う薬剤。
【請求項３１】  Ｑ’がＣＨ２、ＣＨ２ＣＨ２、Ｓ又はＣＨ（ＣＨ（ＣＨ３）（ＯＨ））である
請求項２６に従う方法。
【請求項３２】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２から選ばれる請求項３１に従う薬剤。
【請求項３３】  縮合ピロロカルバゾールが式
【化２５】
2002525329.tif 000025
を有する請求項３２に従う薬剤。
【請求項３４】  Ｒ２がＨ、ＣＨ２ＣＨ２ＯＨ、ＣＨ２ＣＨ２ＮＨＣ（＝Ｏ）−Ｃ６Ｈ５−ＯＨ、ＣＨ２ＣＨ２ＣＨ２ＯＨであり、縮合ピロロカルバゾールのＲ３及びＲ４がＨ、アルキル、Ｃｌ、Ｂｒ、アルコキシ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項３３に従う薬剤。
【請求項３５】  縮合ピロロカルバゾールが式：
【化２６】
2002525329.tif 000026
を有する請求項３４に従う薬剤。
【請求項３６】  縮合ピロロカルバゾールが式：
【化２７】
2002525329.tif 000027
を有する請求項３２に従う薬剤。
【請求項３７】  該感覚毛細胞の死が障害の故である請求項２５の薬剤。
【請求項３８】  該障害が騒音である請求項３７の薬剤。
【請求項３９】  該障害が感染である請求項３７の薬剤。
【請求項４０】  該障害が薬物毒性である請求項３７の薬剤。
【請求項４１】  該薬物毒性がアミノグリコシド及び白金に基づく細胞毒性薬剤より成る群から選ばれる薬物により引き起こされる請求項４０の薬剤。
【請求項４２】  該薬物毒性がアミノグリコシドにより引き起こされる請求項４０の薬剤。
【請求項４３】  該薬物毒性が白金に基づく細胞毒性薬剤により引き起こされる請求項４０の薬剤。
【請求項４４】  該白金に基づく細胞毒性薬剤がシスプラチン又はカルボプラチンである請求項４３の薬剤。
【請求項４５】  障害−前、障害−後ならびに障害−前及び−後に式Ｉを該患者に投与する請求項２５の薬剤。
【請求項４６】  式Ｉを経口的に投与する請求項２５の薬剤。
【請求項４７】  式Ｉを局所的に投与する請求項２５の薬剤。
【請求項４８】  該局所的投与が点耳剤を介する請求項４７の薬剤。
【請求項４９】  式Ｉを皮下的に投与する請求項２５の薬剤。
【請求項５０】  式：
【化２８】
2002525329.tif 000028
［式中：
環Ｄはフェニル及び二重結合ａ−ｂを有するシクロヘキセンから選ばれ；
環Ｂ及び環Ｆは独立して：
（ａ）１〜３個の炭素原子が複素原子で置き換えられていることができる６−員炭素環式環；
（ｂ）５−員炭素環式環；及び
（ｃ）（１）１つの炭素原子が酸素、窒素もしくは硫黄原子で置き換えられているか；
（２）２つの炭素原子が硫黄及び窒素原子、酸素及び窒素原子、又は２つの窒素原子で置き換えられているか；あるいは
（３）３個の炭素原子が３個の窒素原子、１つの酸素及び２つの窒素原子、又は１つの硫黄及び２つの窒素原子で置き換えられている
５−員炭素環式環
から選ばれ；
Ｇ−Ｘ−Ｗは：
（ａ）（Ｚ１Ｚ２）Ｃ−Ｎ（Ｒ１）−Ｃ（Ｚ１Ｚ２）；
（ｂ）ＣＨ（Ｒ１）−Ｃ（＝Ｏ）−Ｎ（Ｒ１）；及び
（ｃ）Ｎ（Ｒ１）−Ｃ（＝Ｏ）−ＣＨ（Ｒ１）
から選ばれ、
Ｚ１及びＺ２は、それぞれの存在において独立してＨ，Ｈ；Ｈ，ＯＲ；Ｈ，ＳＲ；Ｈ，Ｎ（Ｒ）２；ならびにＺ１及びＺ２が一緒になって＝Ｏ、＝Ｓ及び＝ＮＲから選ばれる部分を形成する基から選ばれ；但しＺ１とＺ２の対の少なくとも１つは＝Ｏを形成し；
Ｒは独立してＨ、場合により置換されていることができるアルキル、ＯＨ、アルコキシ、ＯＣ（＝Ｏ）Ｒ１ａ、ＯＣ（＝Ｏ）ＮＲ１ｃＲ１ｄ、Ｏ（ＣＨ２）ｐＮＲ１ＣＲ１ｄ、Ｏ（ＣＨ２）ｐＯＲ１ｂ、場合により置換されていることができるアリールアルキル及び場合により置換されていることができるヘテロアリールアルキルから選ばれ；
Ｒ１は独立して：
（ａ）Ｈ、場合により置換されていることができるアルキル、場合により置換されていることができるアリール、場合により置換されていることができるアリールアルキル、場合により置換されていることができるヘテロアリール及び場合により置換されていることができるヘテロアリールアルキル；
（ｂ）Ｃ（＝Ｏ）Ｒ１ａ；
（ｃ）ＯＲ１ｂ；
（ｄ）Ｃ（＝Ｏ）ＮＨＲ１ｂ、ＮＲ１ｃＲ１ｄ、（ＣＨ２）ｐＮＲ１ｃＲ１ｄ、（ＣＨ２）ｐＯＲ１ｂ、Ｏ（ＣＨ２）ｐＯＲ１ｂ及びＯ（ＣＨ２）ｐＮＲ１ｃＲ１ｄ
から選ばれ；
Ｒ１ａは独立して場合により置換されていることができるアルキル、場合により置換されていることができるアリール及び場合により置換されていることができるヘテロアリールから選ばれ；
Ｒ１ｂは独立してＨ及び場合により置換されていることができるアルキルから選ばれ；
Ｒ１ｃ及びＲ１ｄはそれぞれ独立してＨ、場合により置換されていることができるアルキル及び式（ＣＨ２）２−Ｘ１−（ＣＨ２）２の結合基から選ばれ；
Ｘ１は独立してＯ、Ｓ及びＣＨ２から選ばれ；
ＱはＮＲ２、Ｏ、Ｓ、ＮＲ２２、ＣＨＲ２３、Ｘ４ＣＨ（Ｒ２３）、ＣＨ（Ｒ２３）Ｘ４から選ばれ、ここでＸ４はＯ、Ｓ、ＣＨ２、ＮＲ２２及びＮＲ２から選ばれ；
Ｒ２はＨ、ＳＯ２Ｒ２ａ、ＣＯ２Ｒ２ａ、Ｃ（＝Ｏ）Ｒ２ａ、Ｃ（＝Ｏ）ＮＲ２ｃＲ２ｄ、場合により置換されていることができるアルキル、場合により置換されていることができるアルケニル及び場合により置換されていることができるアルキニルから選ばれ、ここで該場合による置換基は１〜約３個のＲ５基であり；
Ｒ２ａは独立して場合により置換されていることができるアルキル、場合により置換されていることができるアリール、場合により置換されていることができるカルボシクリル、場合により置換されていることができるヘテロシクリル、ＯＲ２ｂ、ＣＯＮＨ２、ＮＲ２ｃＲ２ｄ、（ＣＨ２）ｐＮＲ２ｃＲ２ｄ及びＯ（ＣＨ２）ｐＮＲ２ｃＲ２ｄから選ばれ；
Ｒ２ｂはＨ及び場合により置換されていることができるアルキルから選ばれ；
Ｒ２ｃ及びＲ２ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ３及びＲ４はそれぞれ独立して：
（ａ）Ｈ、アリール、ヘテロアリール、Ｆ、Ｃｌ、Ｂｒ、Ｉ、ＣＮ、ＣＦ３、ＮＯ２、ＯＨ、ＯＲ９、Ｏ（ＣＨ２）ｐＮＲ１１Ｒ１２、ＯＣ（＝Ｏ）Ｒ９、ＯＣ（＝Ｏ）ＮＲ１１Ｒ１２、Ｏ（ＣＨ２）ｐＯＲ１０、ＣＨ２ＯＲ１０、ＮＲ１１Ｒ１２、ＮＲ１０Ｓ（＝Ｏ）２Ｒ９及びＮＲ１０Ｃ（＝Ｏ）Ｒ９；
（ｂ）ＣＨ２ＯＲ１４；
（ｃ）ＮＲ１０Ｃ（＝Ｏ）ＮＲ１１Ｒ１２、ＣＯ２Ｒ１０、Ｃ（＝Ｏ）Ｒ９、Ｃ（＝Ｏ）ＮＲ１１Ｒ１２、ＣＨ＝ＮＯＲ１０、ＣＨ＝ＮＲ１０、（ＣＨ２）ｐＮＲ１１Ｒ１２、（ＣＨ２）ｐＮＨＲ１４及びＣＨ＝ＮＮＲ１１Ｒ１２；
（ｄ）Ｓ（Ｏ）ｙＲ９、（ＣＨ２）ｐＳ（Ｏ）ｙＲ９及びＣＨ２Ｓ（Ｏ）ｙＲ１４；
（ｅ）場合による置換基が１〜約３個のＲ５基である、場合により置換されていることができるアルキル、場合により置換されていることができるアルケニル及び場合により置換されていることができるアルキニル
から選ばれ；
Ｒ９はアルキル、（ＣＨ２）ｒアリール及び（ＣＨ２）ｒヘテロアリールから選ばれ；
Ｒ１０はＨ、アルキル、（ＣＨ２）ｒアリール及び（ＣＨ２）ｒヘテロアリールから選ばれ；
Ｒ１１及びＲ１２は独立してＨ及び場合により置換されていることができるアルキルから選ばれるか、又は一緒になって式（ＣＨ２）２−Ｘ１−（ＣＨ２）２の結合基を形成し；
Ｒ５はアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、ＣＮ、ＮＯ２、ＯＨ、ＯＲ９、Ｘ２（ＣＨ２）ｐＮＲ１１Ｒ１２、Ｘ２（ＣＨ２）ｐＣ（＝Ｏ）ＮＲ１１Ｒ１２、Ｘ２（ＣＨ２）ｐＯＣ（＝Ｏ）ＮＲ１１Ｒ１２、Ｘ２（ＣＨ２）ｐＣＯ２Ｒ９、Ｘ２（ＣＨ２）ｐＳ（Ｏ）ｙＲ９、Ｘ２（ＣＨ２）ｐＮＲ１０Ｃ（＝Ｏ）ＮＲ１１Ｒ１２、ＯＣ（＝Ｏ）Ｒ９、ＯＣ（＝Ｏ）ＮＨＲ１０、Ｏ−テトラヒドロピラニル、ＮＲ１１Ｒ１２、ＮＲ１０Ｃ（＝Ｏ）Ｒ９、ＮＲ１０ＣＯ２Ｒ９、ＮＲ１０Ｃ（＝Ｏ）ＮＲ１１Ｒ１２、ＮＨＣ（＝ＮＨ）ＮＨ２、ＮＲ１０Ｓ（Ｏ）２Ｒ９、Ｓ（Ｏ）ｙＲ９、ＣＯ２Ｒ１０、Ｃ（＝Ｏ）ＮＲ１１Ｒ１２、Ｃ（＝Ｏ）Ｒ９、ＣＨ２ＯＲ１０、ＣＨ＝ＮＮＲ１１Ｒ１２、ＣＨ＝ＮＯＲ１０、ＣＨ＝ＮＲ９、ＣＨ＝ＮＮＨＣＨ（Ｎ＝ＮＨ）ＮＨ２、Ｓ（＝Ｏ）２ＮＲ１１Ｒ１２、Ｐ（＝Ｏ）（ＯＲ１０）２、ＯＲ１４及び単糖から選ばれ、ここで単糖のそれぞれのヒドロキシル基は独立して非置換であるか、又はＨ、アルキル、アルキルカルボニルオキシもしくはアルコキシにより置き換えられており；
Ｘ２はＯ、Ｓ又はＮＲ１０であり；
Ｙは：
（ａ）直接結合；
（ｂ）場合による置換基が１〜約３個のＲ１９基である、場合により置換されていることができるＣＨ２、ＣＨ２ＣＨ２又はＣＨ２ＣＨ２ＣＨ２；ならびに
（ｃ）ＣＨ＝ＣＨ、ＣＨ（ＯＨ）−ＣＨ（ＯＨ）、Ｏ、Ｓ、Ｓ（＝Ｏ）、Ｓ（＝Ｏ）２、Ｃ（Ｒ１８）２、Ｃ＝Ｃ（Ｒ１９）２、Ｃ（＝Ｏ）、Ｃ（＝ＮＯＲ２０）、Ｃ（ＯＲ２０）Ｒ２０、Ｃ（＝Ｏ）ＣＨ（Ｒ１８）、ＣＨ（Ｒ１８）Ｃ（＝Ｏ）、Ｃ（＝ＮＯＲ２０）ＣＨ（Ｒ１８）、ＣＨＲ２１Ｃ（＝ＮＯＲ２０）、Ｃ（＝Ｏ）Ｎ（Ｒ２１）、Ｎ（Ｒ２１）Ｃ（＝Ｏ）、ＺがＣ（Ｒ２０）２、Ｏ、Ｓ、ＣＯ２Ｒ２０、Ｃ（＝ＮＯＲ２０）及びＮ（Ｒ２０）から選ばれるＣＨ２Ｚ、ＺＣＨ２及びＣＨ２ＺＣＨ２
から選ばれ；
Ｒ１８は独立してＨ、ＳＯ２Ｒ１８ａ、ＣＯ２Ｒ１８ａ、Ｃ（＝Ｏ）Ｒ１８ａ、Ｃ（＝Ｏ）ＮＲ１８ｃＲ１８ｄ、場合により置換されていることができるアルキル、場合により置換されていることができるアルケニル及び場合により置換されていることができるアルキニルから選ばれ；
Ｒ１８ａは独立して場合により置換されていることができるアルキル、場合により置換されていることができるアリール、場合により置換されていることができるカルボシクリル及び場合により置換されていることができるヘテロシクリルから選ばれ；
Ｒ１８ｃ及びＲ１８ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ１９は独立してＲ２０、チオアルキル、ハロゲン、場合により置換されていることができるアルキル、場合により置換されていることができるアルケニル及び場合により置換されていることができるアルキニルから選ばれ；
Ｒ２０は独立してＨ、アルキル、ＯＨ、アルコキシ、ＯＣ（＝Ｏ）Ｒ１８ａ、ＯＣ（＝Ｏ）ＮＲ１８ｃＲ１８ｄ、ＯＣ（＝Ｓ）ＮＲ１８ｃＲ１８ｄ、Ｏ（ＣＨ２）ｐＮＲ１８ｃＲ１８ｄ、Ｏ（ＣＨ２）ｐＯＲ２１、場合により置換されていることができるアリールアルキル、場合により置換されていることができるヘテロシクリルアルキル及び場合により置換されていることができるカルボシクリルから選ばれ；
Ｒ２１は独立してＨ及びアルキルから選ばれ；
Ｑ’は：
（ａ）直接結合；
（ｂ）ＮＲ６；
（ｃ）場合により置換されていることができるＣＨ２、ＣＨ２ＣＨ２又はＣＨ２ＣＨ２ＣＨ２；
（ｄ）ＣＲ２２Ｒ２４；ならびに
（ｅ）ＣＨ＝ＣＨ、ＣＨ（ＯＨ）ＣＨ（ＯＨ）、Ｏ、Ｓ、Ｓ（＝Ｏ）、Ｓ（＝Ｏ）２、Ｃ（＝Ｏ）、Ｃ（＝ＮＯＲ１１）、Ｃ（ＯＲ１１）（Ｒ１２）、Ｃ（＝Ｏ）ＣＨ（Ｒ１３）、ＣＨ（Ｒ１３）Ｃ（＝Ｏ）、Ｃ（Ｒ１０）２、Ｃ（＝ＮＯＲ１１）ＣＨ（Ｒ１３）、ＣＨ（Ｒ１３）Ｃ（＝ＮＯＲ１１）、ＣＨ２Ｚ’、Ｚ’−ＣＨ２及びＣＨ２Ｚ’ＣＨ２
から選ばれ；
Ｚ’はＣ（Ｒ１１）（ＯＲ１２）、Ｏ、Ｓ、Ｃ（＝Ｏ）、Ｃ（＝ＮＯＲ１１）及びＮＲ１１から選ばれ；
Ｒ６はＨ、ＳＯ２Ｒ２ａ、ＣＯ２Ｒ２ａ、Ｃ（＝Ｏ）Ｒ２ａ、Ｃ（＝Ｏ）ＮＲ１ｃＲ１ｄ、場合により置換されていることができるアルキル、場合により置換されていることができるアルケニル及び場合により置換されていることができるアルキニルから選ばれ、ここで該場合による置換基は１〜約３個のＲ５基であるか；あるいは
また、ＱがＮＲ２であり、Ｑ’がＮＲ６又はＣ（Ｒ１０）２である場合、Ｒ２及びＲ６又はＲ１０の１つは一緒になって：
【化２９】
2002525329.tif 000029
を形成し、
ここでＲ７及びＲ８はそれぞれ独立してＨ、ＯＨ、アルキル、アルコキシ、場合により置換されていることができるアリールアルキル、場合により置換されていることができるヘテロアリールアルキル、（ＣＨ２）ｐＯＲ１０、（ＣＨ２）ｐＯＣ（＝Ｏ）ＮＲ１１Ｒ１２及び（ＣＨ２）ｐＮＲ１１Ｒ１２から選ばれるか；あるいはＲ７とＲ８は一緒になって式ＣＨ２−Ｘ３−ＣＨ２の結合基を形成し；
Ｘ３は結合、Ｏ、Ｓ又はＮＲ１０であり；
Ｊは結合、Ｏ、ＣＨ＝ＣＨ、Ｓ、Ｃ（＝Ｏ）、ＣＨ（ＯＲ１０）、Ｎ（Ｒ１０）、Ｎ（ＯＲ１０）、ＣＨ（ＮＲ１１Ｒ１２）、Ｃ（＝Ｏ）Ｎ（Ｒ１７）、Ｎ（Ｒ１７）Ｃ（＝Ｏ）、Ｎ（Ｓ（Ｏ）ｙＲ９）、Ｎ（Ｓ（Ｏ）ｙＮＲ１１Ｒ１２）、Ｎ（Ｃ（＝Ｏ）Ｒ１７）、Ｃ（Ｒ１５Ｒ１６）、Ｎ＋（Ｏ−）（Ｒ１０）、ＣＨ（ＯＨ）ＣＨ（ＯＨ）及びＣＨ（Ｏ（Ｃ＝Ｏ）Ｒ９）ＣＨ（ＯＣ（＝Ｏ）Ｒ９）から選ばれ；
Ｊ’はＯ、Ｓ、Ｎ（Ｒ１０）、Ｎ＋（Ｏ−）（Ｒ１０）、Ｎ（ＯＲ１０）及びＣＨ２から選ばれ；
Ｒ１３はアルキル、アリール及びアリールアルキルから選らばれ；
Ｒ１４はカルボキシル基のヒドロキシル基が除去された後のアミノ酸の残基であり；
Ｒ１５及びＲ１６は独立してＨ、ＯＨ、Ｃ（＝Ｏ）Ｒ１０、Ｏ（Ｃ＝Ｏ）Ｒ９、アルキル−ＯＨ、アルコキシ及びＣＯ２Ｒ１０から選ばれ；
Ｒ１７はＨ、アルキル、アリール及びヘテロアリールから選ばれ；
Ｒ２２は
【化３０】
2002525329.tif 000030
であり、
Ｘ５及びＸ６は独立してＯ、Ｎ、Ｓ、ＣＨＲ２６、Ｃ（ＯＨ）Ｒ２６、Ｃ（＝Ｏ）及びＣＨ２＝Ｃから選ばれ；
Ｘ７及びＸ８は独立して結合、Ｏ、Ｎ、Ｓ、ＣＨＲ２６、Ｃ（ＯＨ）Ｒ２６、Ｃ（＝Ｏ）及びＣＨ２＝Ｃから選ばれ；
Ｘ９及びＸ１０は独立して結合、Ｏ、Ｎ、Ｓ、Ｃ（＝Ｏ）及びＣＨＲ２６から選ばれ；
Ｘ１１は結合又は場合によりＮＲ１１Ｒ１２もしくはＯＲ３０で置換されていることができるアルキレンであり；
Ｒ２３はＨ、ＯＲ２７、ＳＲ２７、Ｒ２２及びＲ２８から選ばれ；
Ｒ２４はＲ、チオアルキル及びハロゲンから選ばれ；
Ｒ２５はＲ１及びＯＣ（＝Ｏ）ＮＲ１ｃＲ１ｄから選ばれ；
Ｒ２６はＨ、場合により置換されていることができるアルキル及び場合により置換されていることができるアルコキシから選ばれ、
ここで
（１）環Ｇは０〜約３個の環複素原子を含有し；
（２）環Ｇのいずれか２つの隣接ヒドロキシル基は一緒になってジオキソラン環を形成することができ；
（３）環Ｇのいずれか２つの隣接環炭素原子は一緒になって縮合アリールもしくはヘテロアリール環を形成することができ；但し；
（ａ）Ｘ１１が結合の場合、環Ｇはヘテロアリールであることができ；
（ｂ）環Ｇは：
（ｉ）少なくとも１つの飽和されている炭素原子を含有し；
（ｉｉ）２つの隣接する環Ｏ原子を含有せず；
（ｉｉｉ）最高で２個のＣ（＝Ｏ）基を含有し；
Ｒ２７はＨ及びアルキルから選ばれ；
Ｒ２８はアリール、アリールアルキル、ＳＯ２Ｒ２９、ＣＯ２Ｒ２９、Ｃ（＝Ｏ）Ｒ２９、場合により置換されていることができるアルキル、場合により置換されていることができるアルケニル及び場合により置換されていることができるアルキニルから選ばれ；
Ｒ２９はアルキル、アリール及びヘテロアリールから選ばれ；
Ｒ３０はＨ、アルキル、アシル及びＣ（＝Ｏ）ＮＲ１１Ｒ１２から選ばれ；
ｍは独立して０、１及び２から選ばれ；
ｐは独立して１、２、３及び４から選ばれ；
ｒは独立して０、１及び２から選ばれ；
ｙは独立して０、１及び２から選ばれ；
ｚは０、１、２、３及び４から選ばれ；
但し、Ｙ及びＱ’の少なくとも１つは直接結合であり、Ｙが直接結合の場合にはＱ’は直接結合以外であり、Ｑ’が直接結合の場合にはＹは直接結合以外であり、環Ｂ及びＦがフェニルであり、Ｇ−Ｘ−ＷがＣＨ２ＮＨＣ（＝Ｏ）であり、Ｙが直接結合であり、ＱがＮＲ２であり、Ｑ’がＮＲ６であり、ここでＲ６がＲ２と一緒になって
【化３１】
2002525329.tif 000031
を形成する場合、Ｒ３はＣＨ２ＳＣＨ２ＣＨ３以外である］
を有する式Ｉの縮合ピロロカルバゾールあるいはそれらの立体異性体又は製薬学的に許容され得る塩の形態を有効成分として含有することを特徴とする、患者における感覚毛細胞の死の故の突然の感覚神経性聴覚障害を予防するための薬剤。
【請求項５１】  Ｙが直接結合であり；
ＱがＮＲ２である
請求項５０に従う薬剤。
【請求項５２】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２及びＣ（＝Ｏ）ＮＲ１Ｃ（＝Ｏ）から選ばれ、Ｑ’がＮＲ６である請求項５１に従う薬剤。
【請求項５３】  縮合ピロロカルバゾールが式：
【化３２】
2002525329.tif 000032
を有する請求項５２に従う薬剤。
【請求項５４】  縮合ピロロカルバゾールのＲ３及びＲ４がＨ、アルキル、Ｃｌ、Ｂｒ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項５３に従う薬剤。
【請求項５５】  縮合ピロロカルバゾールが式：
【化３３】
2002525329.tif 000033
を有する請求項５４に従う薬剤。
【請求項５６】  Ｑ’がＣＨ２、ＣＨ２ＣＨ２、Ｓ又はＣＨ（ＣＨ（ＣＨ３）（ＯＨ））である
請求項５１に従う薬剤。
【請求項５７】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２から選ばれる請求項５６に従う薬剤。
【請求項５８】  縮合ピロロカルバゾールが式
【化３４】
2002525329.tif 000034
を有する請求項５７に従う薬剤。
【請求項５９】  Ｒ２がＨ、ＣＨ２ＣＨ２ＯＨ、ＣＨ２ＣＨ２ＮＨＣ（＝Ｏ）−Ｃ６Ｈ５−ＯＨ、ＣＨ２ＣＨ２ＣＨ２ＯＨであり、縮合ピロロカルバゾールのＲ３及びＲ４がＨ、アルキル、Ｃｌ、Ｂｒ、アルコキシ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項５８に従う薬剤。
【請求項６０】  縮合ピロロカルバゾールが式：
【化３５】
2002525329.tif 000035
を有する請求項５９に従う薬剤。
【請求項６１】  縮合ピロロカルバゾールが式：
【化３６】
2002525329.tif 000036
を有する請求項５７に従う薬剤。
【請求項６２】  障害−前、障害−後ならびに障害−前及び−後に式Ｉを該患者に投与する請求項５０の薬剤。
【請求項６３】  式Ｉを経口的に投与する請求項５０の薬剤。
【請求項６４】  式Ｉを局所的に投与する請求項５０の薬剤。
【請求項６５】  該局所的投与が点耳剤を介する請求項６４の薬剤。
【請求項６６】  式Ｉを皮下的に投与する請求項５０の薬剤。
【請求項６７】  式：
【化３７】
2002525329.tif 000037
［式中：
環Ｄはフェニル及び二重結合ａ−ｂを有するシクロヘキセンから選ばれ；
環Ｂ及び環Ｆは独立して：
（ａ）１〜３個の炭素原子が複素原子で置き換えられていることができる６−員炭素環式環；
（ｂ）５−員炭素環式環；及び
（ｃ）（１）１つの炭素原子が酸素、窒素もしくは硫黄原子で置き換えられているか；
（２）２つの炭素原子が硫黄及び窒素原子、酸素及び窒素原子、又は２つの窒素原子で置き換えられているか；あるいは
（３）３個の炭素原子が３個の窒素原子、１つの酸素及び２つの窒素原子、又は１つの硫黄及び２つの窒素原子で置き換えられている
５−員炭素環式環
から選ばれ；
Ｇ−Ｘ−Ｗは：
（ａ）（Ｚ１Ｚ２）Ｃ−Ｎ（Ｒ１）−Ｃ（Ｚ１Ｚ２）；
（ｂ）ＣＨ（Ｒ１）−Ｃ（＝Ｏ）−Ｎ（Ｒ１）；及び
（ｃ）Ｎ（Ｒ１）−Ｃ（＝Ｏ）−ＣＨ（Ｒ１）
から選ばれ、
Ｚ１及びＺ２は、それぞれの存在において独立してＨ，Ｈ；Ｈ，ＯＲ；Ｈ，ＳＲ；Ｈ，Ｎ（Ｒ）２；ならびにＺ１及びＺ２が一緒になって＝Ｏ、＝Ｓ及び＝ＮＲから選ばれる部分を形成する基から選ばれ；但しＺ１とＺ２の対の少なくとも１つは＝Ｏを形成し；
Ｒは独立してＨ、場合により置換されていることができるアルキル、ＯＨ、アルコキシ、ＯＣ（＝Ｏ）Ｒ１ａ、ＯＣ（＝Ｏ）ＮＲ１ｃＲ１ｄ、Ｏ（ＣＨ２）ｐＮＲ１ＣＲ１ｄ、Ｏ（ＣＨ２）ｐＯＲ１ｂ、場合により置換されていることができるアリールアルキル及び場合により置換されていることができるヘテロアリールアルキルから選ばれ；
Ｒ１は独立して：
（ａ）Ｈ、場合により置換されていることができるアルキル、場合により置換されていることができるアリール、場合により置換されていることができるアリールアルキル、場合により置換されていることができるヘテロアリール及び場合により置換されていることができるヘテロアリールアルキル；
（ｂ）Ｃ（＝Ｏ）Ｒ１ａ；
（ｃ）ＯＲ１ｂ；
（ｄ）Ｃ（＝Ｏ）ＮＨＲ１ｂ、ＮＲ１ｃＲ１ｄ、（ＣＨ２）ｐＮＲ１ｃＲ１ｄ、（ＣＨ２）ｐＯＲ１ｂ、Ｏ（ＣＨ２）ｐＯＲ１ｂ及びＯ（ＣＨ２）ｐＮＲ１ｃＲ１ｄ
から選ばれ；
Ｒ１ａは独立して場合により置換されていることができるアルキル、場合により置換されていることができるアリール及び場合により置換されていることができるヘテロアリールから選ばれ；
Ｒ１ｂは独立してＨ及び場合により置換されていることができるアルキルから選ばれ；
Ｒ１ｃ及びＲ１ｄはそれぞれ独立してＨ、場合により置換されていることができるアルキル及び式（ＣＨ２）２−Ｘ１−（ＣＨ２）２の結合基から選ばれ；
Ｘ１は独立してＯ、Ｓ及びＣＨ２から選ばれ；
ＱはＮＲ２、Ｏ、Ｓ、ＮＲ２２、ＣＨＲ２３、Ｘ４ＣＨ（Ｒ２３）、ＣＨ（Ｒ２３）Ｘ４から選ばれ、ここでＸ４はＯ、Ｓ、ＣＨ２、ＮＲ２２及びＮＲ２から選ばれ；
Ｒ２はＨ、ＳＯ２Ｒ２ａ、ＣＯ２Ｒ２ａ、Ｃ（＝Ｏ）Ｒ２ａ、Ｃ（＝Ｏ）ＮＲ２ｃＲ２ｄ、場合により置換されていることができるアルキル、場合により置換されていることができるアルケニル及び場合により置換されていることができるアルキニルから選ばれ、ここで該場合による置換基は１〜約３個のＲ５基であり；
Ｒ２ａは独立して場合により置換されていることができるアルキル、場合により置換されていることができるアリール、場合により置換されていることができるカルボシクリル、場合により置換されていることができるヘテロシクリル、ＯＲ２ｂ、ＣＯＮＨ２、ＮＲ２ｃＲ２ｄ、（ＣＨ２）ｐＮＲ２ｃＲ２ｄ及びＯ（ＣＨ２）ｐＮＲ２ｃＲ２ｄから選ばれ；
Ｒ２ｂはＨ及び場合により置換されていることができるアルキルから選ばれ；
Ｒ２ｃ及びＲ２ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ３及びＲ４はそれぞれ独立して：
（ａ）Ｈ、アリール、ヘテロアリール、Ｆ、Ｃｌ、Ｂｒ、Ｉ、ＣＮ、ＣＦ３、ＮＯ２、ＯＨ、ＯＲ９、Ｏ（ＣＨ２）ｐＮＲ１１Ｒ１２、ＯＣ（＝Ｏ）Ｒ９、ＯＣ（＝Ｏ）ＮＲ１１Ｒ１２、Ｏ（ＣＨ２）ｐＯＲ１０、ＣＨ２ＯＲ１０、ＮＲ１１Ｒ１２、ＮＲ１０Ｓ（＝Ｏ）２Ｒ９及びＮＲ１０Ｃ（＝Ｏ）Ｒ９；
（ｂ）ＣＨ２ＯＲ１４；
（ｃ）ＮＲ１０Ｃ（＝Ｏ）ＮＲ１１Ｒ１２、ＣＯ２Ｒ１０、Ｃ（＝Ｏ）Ｒ９、Ｃ（＝Ｏ）ＮＲ１１Ｒ１２、ＣＨ＝ＮＯＲ１０、ＣＨ＝ＮＲ１０、（ＣＨ２）ｐＮＲ１１Ｒ１２、（ＣＨ２）ｐＮＨＲ１４及びＣＨ＝ＮＮＲ１１Ｒ１２；
（ｄ）Ｓ（Ｏ）ｙＲ９、（ＣＨ２）ｐＳ（Ｏ）ｙＲ９及びＣＨ２Ｓ（Ｏ）ｙＲ１４；
（ｅ）場合による置換基が１〜約３個のＲ５基である、場合により置換されていることができるアルキル、場合により置換されていることができるアルケニル及び場合により置換されていることができるアルキニル
から選ばれ；
Ｒ９はアルキル、（ＣＨ２）ｒアリール及び（ＣＨ２）ｒヘテロアリールから選ばれ；
Ｒ１０はＨ、アルキル、（ＣＨ２）ｒアリール及び（ＣＨ２）ｒヘテロアリールから選ばれ；
Ｒ１１及びＲ１２は独立してＨ及び場合により置換されていることができるアルキルから選ばれるか、又は一緒になって式（ＣＨ２）２−Ｘ１−（ＣＨ２）２の結合基を形成し；
Ｒ５はアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、ＣＮ、ＮＯ２、ＯＨ、ＯＲ９、Ｘ２（ＣＨ２）ｐＮＲ１１Ｒ１２、Ｘ２（ＣＨ２）ｐＣ（＝Ｏ）ＮＲ１１Ｒ１２、Ｘ２（ＣＨ２）ｐＯＣ（＝Ｏ）ＮＲ１１Ｒ１２、Ｘ２（ＣＨ２）ｐＣＯ２Ｒ９、Ｘ２（ＣＨ２）ｐＳ（Ｏ）ｙＲ９、Ｘ２（ＣＨ２）ｐＮＲ１０Ｃ（＝Ｏ）ＮＲ１１Ｒ１２、ＯＣ（＝Ｏ）Ｒ９、ＯＣ（＝Ｏ）ＮＨＲ１０、Ｏ−テトラヒドロピラニル、ＮＲ１１Ｒ１２、ＮＲ１０Ｃ（＝Ｏ）Ｒ９、ＮＲ１０ＣＯ２Ｒ９、ＮＲ１０Ｃ（＝Ｏ）ＮＲ１１Ｒ１２、ＮＨＣ（＝ＮＨ）ＮＨ２、ＮＲ１０Ｓ（Ｏ）２Ｒ９、Ｓ（Ｏ）ｙＲ９、ＣＯ２Ｒ１０、Ｃ（＝Ｏ）ＮＲ１１Ｒ１２、Ｃ（＝Ｏ）Ｒ９、ＣＨ２ＯＲ１０、ＣＨ＝ＮＮＲ１１Ｒ１２、ＣＨ＝ＮＯＲ１０、ＣＨ＝ＮＲ９、ＣＨ＝ＮＮＨＣＨ（Ｎ＝ＮＨ）ＮＨ２、Ｓ（＝Ｏ）２ＮＲ１１Ｒ１２、Ｐ（＝Ｏ）（ＯＲ１０）２、ＯＲ１４及び単糖から選ばれ、ここで単糖のそれぞれのヒドロキシル基は独立して非置換であるか、又はＨ、アルキル、アルキルカルボニルオキシもしくはアルコキシにより置き換えられており；
Ｘ２はＯ、Ｓ又はＮＲ１０であり；
Ｙは：
（ａ）直接結合；
（ｂ）場合による置換基が１〜約３個のＲ１９基である、場合により置換されていることができるＣＨ２、ＣＨ２ＣＨ２又はＣＨ２ＣＨ２ＣＨ２；ならびに
（ｃ）ＣＨ＝ＣＨ、ＣＨ（ＯＨ）−ＣＨ（ＯＨ）、Ｏ、Ｓ、Ｓ（＝Ｏ）、Ｓ（＝Ｏ）２、Ｃ（Ｒ１８）２、Ｃ＝Ｃ（Ｒ１９）２、Ｃ（＝Ｏ）、Ｃ（＝ＮＯＲ２０）、Ｃ（ＯＲ２０）Ｒ２０、Ｃ（＝Ｏ）ＣＨ（Ｒ１８）、ＣＨ（Ｒ１８）Ｃ（＝Ｏ）、Ｃ（＝ＮＯＲ２０）ＣＨ（Ｒ１８）、ＣＨＲ２１Ｃ（＝ＮＯＲ２０）、Ｃ（＝Ｏ）Ｎ（Ｒ２１）、Ｎ（Ｒ２１）Ｃ（＝Ｏ）、ＺがＣ（Ｒ２０）２、Ｏ、Ｓ、ＣＯ２Ｒ２０、Ｃ（＝ＮＯＲ２０）及びＮ（Ｒ２０）から選ばれるＣＨ２Ｚ、ＺＣＨ２及びＣＨ２ＺＣＨ２
から選ばれ；
Ｒ１８は独立してＨ、ＳＯ２Ｒ１８ａ、ＣＯ２Ｒ１８ａ、Ｃ（＝Ｏ）Ｒ１８ａ、Ｃ（＝Ｏ）ＮＲ１８ｃＲ１８ｄ、場合により置換されていることができるアルキル、場合により置換されていることができるアルケニル及び場合により置換されていることができるアルキニルから選ばれ；
Ｒ１８ａは独立して場合により置換されていることができるアルキル、場合により置換されていることができるアリール、場合により置換されていることができるカルボシクリル及び場合により置換されていることができるヘテロシクリルから選ばれ；
Ｒ１８ｃ及びＲ１８ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ１９は独立してＲ２０、チオアルキル、ハロゲン、場合により置換されていることができるアルキル、場合により置換されていることができるアルケニル及び場合により置換されていることができるアルキニルから選ばれ；
Ｒ２０は独立してＨ、アルキル、ＯＨ、アルコキシ、ＯＣ（＝Ｏ）Ｒ１８ａ、ＯＣ（＝Ｏ）ＮＲ１８ｃＲ１８ｄ、ＯＣ（＝Ｓ）ＮＲ１８ｃＲ１８ｄ、Ｏ（ＣＨ２）ｐＮＲ１８ｃＲ１８ｄ、Ｏ（ＣＨ２）ｐＯＲ２１、場合により置換されていることができるアリールアルキル、場合により置換されていることができるヘテロシクリルアルキル及び場合により置換されていることができるカルボシクリルから選ばれ；
Ｒ２１は独立してＨ及びアルキルから選ばれ；
Ｑ’は：
（ａ）直接結合；
（ｂ）ＮＲ６；
（ｃ）場合により置換されていることができるＣＨ２、ＣＨ２ＣＨ２又はＣＨ２ＣＨ２ＣＨ２；
（ｄ）ＣＲ２２Ｒ２４；ならびに
（ｅ）ＣＨ＝ＣＨ、ＣＨ（ＯＨ）ＣＨ（ＯＨ）、Ｏ、Ｓ、Ｓ（＝Ｏ）、Ｓ（＝Ｏ）２、Ｃ（＝Ｏ）、Ｃ（＝ＮＯＲ１１）、Ｃ（ＯＲ１１）（Ｒ１２）、Ｃ（＝Ｏ）ＣＨ（Ｒ１３）、ＣＨ（Ｒ１３）Ｃ（＝Ｏ）、Ｃ（Ｒ１０）２、Ｃ（＝ＮＯＲ１１）ＣＨ（Ｒ１３）、ＣＨ（Ｒ１３）Ｃ（＝ＮＯＲ１１）、ＣＨ２Ｚ’、Ｚ’−ＣＨ２及びＣＨ２Ｚ’ＣＨ２
から選ばれ；
Ｚ’はＣ（Ｒ１１）（ＯＲ１２）、Ｏ、Ｓ、Ｃ（＝Ｏ）、Ｃ（＝ＮＯＲ１１）及びＮＲ１１から選ばれ；
Ｒ６はＨ、ＳＯ２Ｒ２ａ、ＣＯ２Ｒ２ａ、Ｃ（＝Ｏ）Ｒ２ａ、Ｃ（＝Ｏ）ＮＲ１ｃＲ１ｄ、場合により置換されていることができるアルキル、場合により置換されていることができるアルケニル及び場合により置換されていることができるアルキニルから選ばれ、ここで該場合による置換基は１〜約３個のＲ５基であるか；あるいは
また、ＱがＮＲ２であり、Ｑ’がＮＲ６又はＣ（Ｒ１０）２である場合、Ｒ２及びＲ６又はＲ１０の１つは一緒になって：
【化３８】
2002525329.tif 000038
を形成し、
ここでＲ７及びＲ８はそれぞれ独立してＨ、ＯＨ、アルキル、アルコキシ、場合により置換されていることができるアリールアルキル、場合により置換されていることができるヘテロアリールアルキル、（ＣＨ２）ｐＯＲ１０、（ＣＨ２）ｐＯＣ（＝Ｏ）ＮＲ１１Ｒ１２及び（ＣＨ２）ｐＮＲ１１Ｒ１２から選ばれるか；あるいはＲ７とＲ８は一緒になって式ＣＨ２−Ｘ３−ＣＨ２の結合基を形成し；
Ｘ３は結合、Ｏ、Ｓ又はＮＲ１０であり；
Ｊは結合、Ｏ、ＣＨ＝ＣＨ、Ｓ、Ｃ（＝Ｏ）、ＣＨ（ＯＲ１０）、Ｎ（Ｒ１０）、Ｎ（ＯＲ１０）、ＣＨ（ＮＲ１１Ｒ１２）、Ｃ（＝Ｏ）Ｎ（Ｒ１７）、Ｎ（Ｒ１７）Ｃ（＝Ｏ）、Ｎ（Ｓ（Ｏ）ｙＲ９）、Ｎ（Ｓ（Ｏ）ｙＮＲ１１Ｒ１２）、Ｎ（Ｃ（＝Ｏ）Ｒ１７）、Ｃ（Ｒ１５Ｒ１６）、Ｎ＋（Ｏ−）（Ｒ１０）、ＣＨ（ＯＨ）ＣＨ（ＯＨ）及びＣＨ（Ｏ（Ｃ＝Ｏ）Ｒ９）ＣＨ（ＯＣ（＝Ｏ）Ｒ９）から選ばれ；
Ｊ’はＯ、Ｓ、Ｎ（Ｒ１０）、Ｎ＋（Ｏ−）（Ｒ１０）、Ｎ（ＯＲ１０）及びＣＨ２から選ばれ；
Ｒ１３はアルキル、アリール及びアリールアルキルから選らばれ；
Ｒ１４はカルボキシル基のヒドロキシル基が除去された後のアミノ酸の残基であり；
Ｒ１５及びＲ１６は独立してＨ、ＯＨ、Ｃ（＝Ｏ）Ｒ１０、Ｏ（Ｃ＝Ｏ）Ｒ９、アルキル−ＯＨ、アルコキシ及びＣＯ２Ｒ１０から選ばれ；
Ｒ１７はＨ、アルキル、アリール及びヘテロアリールから選ばれ；
Ｒ２２は
【化３９】
2002525329.tif 000039
であり、
Ｘ５及びＸ６は独立してＯ、Ｎ、Ｓ、ＣＨＲ２６、Ｃ（ＯＨ）Ｒ２６、Ｃ（＝Ｏ）及びＣＨ２＝Ｃから選ばれ；
Ｘ７及びＸ８は独立して結合、Ｏ、Ｎ、Ｓ、ＣＨＲ２６、Ｃ（ＯＨ）Ｒ２６、Ｃ（＝Ｏ）及びＣＨ２＝Ｃから選ばれ；
Ｘ９及びＸ１０は独立して結合、Ｏ、Ｎ、Ｓ、Ｃ（＝Ｏ）及びＣＨＲ２６から選ばれ；
Ｘ１１は結合又は場合によりＮＲ１１Ｒ１２もしくはＯＲ３０で置換されていることができるアルキレンであり；
Ｒ２３はＨ、ＯＲ２７、ＳＲ２７、Ｒ２２及びＲ２８から選ばれ；
Ｒ２４はＲ、チオアルキル及びハロゲンから選ばれ；
Ｒ２５はＲ１及びＯＣ（＝Ｏ）ＮＲ１ｃＲ１ｄから選ばれ；
Ｒ２６はＨ、場合により置換されていることができるアルキル及び場合により置換されていることができるアルコキシから選ばれ、
ここで
（１）環Ｇは０〜約３個の環複素原子を含有し；
（２）環Ｇのいずれか２つの隣接ヒドロキシル基は一緒になってジオキソラン環を形成することができ；
（３）環Ｇのいずれか２つの隣接環炭素原子は一緒になって縮合アリールもしくはヘテロアリール環を形成することができ；但し；
（ａ）Ｘ１１が結合の場合、環Ｇはヘテロアリールであることができ；
（ｂ）環Ｇは：
（ｉ）少なくとも１つの飽和されている炭素原子を含有し；
（ｉｉ）２つの隣接する環Ｏ原子を含有せず；
（ｉｉｉ）最高で２個のＣ（＝Ｏ）基を含有し；
Ｒ２７はＨ及びアルキルから選ばれ；
Ｒ２８はアリール、アリールアルキル、ＳＯ２Ｒ２９、ＣＯ２Ｒ２９、Ｃ（＝Ｏ）Ｒ２９、場合により置換されていることができるアルキル、場合により置換されていることができるアルケニル及び場合により置換されていることができるアルキニルから選ばれ；
Ｒ２９はアルキル、アリール及びヘテロアリールから選ばれ；
Ｒ３０はＨ、アルキル、アシル及びＣ（＝Ｏ）ＮＲ１１Ｒ１２から選ばれ；
ｍは独立して０、１及び２から選ばれ；
ｐは独立して１、２、３及び４から選ばれ；
ｒは独立して０、１及び２から選ばれ；
ｙは独立して０、１及び２から選ばれ；
ｚは０、１、２、３及び４から選ばれ；
但し、Ｙ及びＱ’の少なくとも１つは直接結合であり、Ｙが直接結合の場合にはＱ’は直接結合以外であり、Ｑ’が直接結合の場合にはＹは直接結合以外であり、環Ｂ及びＦがフェニルであり、Ｇ−Ｘ−ＷがＣＨ２ＮＨＣ（＝Ｏ）であり、Ｙが直接結合であり、ＱがＮＲ２であり、Ｑ’がＮＲ６であり、ここでＲ６がＲ２と一緒になって
【化４０】
2002525329.tif 000040
を形成する場合、Ｒ３はＣＨ２ＳＣＨ２ＣＨ３以外である］
を有する式Ｉの縮合ピロロカルバゾールあるいはそれらの立体異性体又は製薬学的に許容され得る塩の形態を有効成分として含有することを特徴とする、患者における障害の前もしくはその後に感覚毛細胞の機能を保存するための薬剤。
【請求項６８】  Ｙが直接結合であり；
ＱがＮＲ２である
請求項６７に従う薬剤。
【請求項６９】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２及びＣ（＝Ｏ）ＮＲ１Ｃ（＝Ｏ）から選ばれ、Ｑ’がＮＲ６である請求項６８に従う薬剤。
【請求項７０】  縮合ピロロカルバゾールが式：
【化４１】
2002525329.tif 000041
を有する請求項６９に従う薬剤。
【請求項７１】  縮合ピロロカルバゾールのＲ３及びＲ４がＨ、アルキル、Ｃｌ、Ｂｒ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項７０に従う薬剤。
【請求項７２】  縮合ピロロカルバゾールが式：
【化４２】
2002525329.tif 000042
を有する請求項７１に従う薬剤。
【請求項７３】  Ｑ’がＣＨ２、ＣＨ２ＣＨ２、Ｓ又はＣＨ（ＣＨ（ＣＨ３）（ＯＨ））である
請求項６８に従う薬剤。
【請求項７４】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２から選ばれる請求項７３に従う薬剤。
【請求項７５】  縮合ピロロカルバゾールが式
【化４３】
2002525329.tif 000043
を有する請求項７４に従う薬剤。
【請求項７６】  Ｒ２がＨ、ＣＨ２ＣＨ２ＯＨ、ＣＨ２ＣＨ２ＮＨＣ（＝Ｏ）−Ｃ６Ｈ５−ＯＨ、ＣＨ２ＣＨ２ＣＨ２ＯＨであり、縮合ピロロカルバゾールのＲ３及びＲ４がＨ、アルキル、Ｃｌ、Ｂｒ、アルコキシ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項７５に従う薬剤。
【請求項７７】  縮合ピロロカルバゾールが式：
【化４４】
2002525329.tif 000044
を有する請求項７６に従う薬剤。
【請求項７８】  縮合ピロロカルバゾールが式：
【化４５】
2002525329.tif 000045
を有する請求項７４に従う薬剤。
【請求項７９】  該感覚毛細胞の障害が騒音、感染及び薬物毒性より成る群から選ばれる請求項６７の薬剤。
【請求項８０】  該障害が騒音である請求項６７の薬剤。
【請求項８１】  該障害が感染である請求項６７の薬剤。
【請求項８２】  該障害が薬物毒性である請求項７９の薬剤。
【請求項８３】  該薬物毒性がアミノグリコシド及び白金に基づく細胞毒性薬剤より成る群から選ばれる薬物により引き起こされる請求項８２の薬剤。
【請求項８４】  該薬物毒性がアミノグリコシドにより引き起こされる請求項８３の薬剤。
【請求項８５】  該薬物毒性が白金に基づく細胞毒性薬剤により引き起こされる請求項８３の薬剤。
【請求項８６】  該白金に基づく細胞毒性薬剤がシスプラチン又はカルボプラチンである請求項８５の薬剤。
【請求項８７】  障害−前、障害−後ならびに障害−前及び−後に式Ｉを投与する請求項６７の薬剤。
【請求項８８】  式Ｉを経口的に投与する請求項６７の薬剤。
【請求項８９】  式Ｉを局所的に投与する請求項６７の薬剤。
【請求項９０】  該局所的投与が点耳剤を介する請求項８９の薬剤。
【請求項９１】  式Ｉを皮下的に投与する請求項６７の薬剤。
【請求項９２】  式：
【化４６】
2002525329.tif 000046
［式中：
環Ｄはフェニル及び二重結合ａ−ｂを有するシクロヘキセンから選ばれ；
環Ｂ及び環Ｆは独立して：
（ａ）１〜３個の炭素原子が複素原子で置き換えられていることができる６−員炭素環式環；
（ｂ）５−員炭素環式環；及び
（ｃ）（１）１つの炭素原子が酸素、窒素もしくは硫黄原子で置き換えられているか；
（２）２つの炭素原子が硫黄及び窒素原子、酸素及び窒素原子、又は２つの窒素原子で置き換えられているか；あるいは
（３）３個の炭素原子が３個の窒素原子、１つの酸素及び２つの窒素原子、又は１つの硫黄及び２つの窒素原子で置き換えられている
５−員炭素環式環
から選ばれ；
Ｇ−Ｘ−Ｗは：
（ａ）（Ｚ１Ｚ２）Ｃ−Ｎ（Ｒ１）−Ｃ（Ｚ１Ｚ２）；
（ｂ）ＣＨ（Ｒ１）−Ｃ（＝Ｏ）−Ｎ（Ｒ１）；及び
（ｃ）Ｎ（Ｒ１）−Ｃ（＝Ｏ）−ＣＨ（Ｒ１）
から選ばれ、
Ｚ１及びＺ２は、それぞれの存在において独立してＨ，Ｈ；Ｈ，ＯＲ；Ｈ，ＳＲ；Ｈ，Ｎ（Ｒ）２；ならびにＺ１及びＺ２が一緒になって＝Ｏ、＝Ｓ及び＝ＮＲから選ばれる部分を形成する基から選ばれ；但しＺ１とＺ２の対の少なくとも１つは＝Ｏを形成し；
Ｒは独立してＨ、場合により置換されていることができるアルキル、ＯＨ、アルコキシ、ＯＣ（＝Ｏ）Ｒ１ａ、ＯＣ（＝Ｏ）ＮＲ１ｃＲ１ｄ、Ｏ（ＣＨ２）ｐＮＲ１ＣＲ１ｄ、Ｏ（ＣＨ２）ｐＯＲ１ｂ、場合により置換されていることができるアリールアルキル及び場合により置換されていることができるヘテロアリールアルキルから選ばれ；
Ｒ１は独立して：
（ａ）Ｈ、場合により置換されていることができるアルキル、場合により置換されていることができるアリール、場合により置換されていることができるアリールアルキル、場合により置換されていることができるヘテロアリール及び場合により置換されていることができるヘテロアリールアルキル；
（ｂ）Ｃ（＝Ｏ）Ｒ１ａ；
（ｃ）ＯＲ１ｂ；
（ｄ）Ｃ（＝Ｏ）ＮＨＲ１ｂ、ＮＲ１ｃＲ１ｄ、（ＣＨ２）ｐＮＲ１ｃＲ１ｄ、（ＣＨ２）ｐＯＲ１ｂ、Ｏ（ＣＨ２）ｐＯＲ１ｂ及びＯ（ＣＨ２）ｐＮＲ１ｃＲ１ｄ；
から選ばれ；
Ｒ１ａは独立して場合により置換されていることができるアルキル、場合により置換されていることができるアリール及び場合により置換されていることができるヘテロアリールから選ばれ；
Ｒ１ｂは独立してＨ及び場合により置換されていることができるアルキルから選ばれ；
Ｒ１ｃ及びＲ１ｄはそれぞれ独立してＨ、場合により置換されていることができるアルキル及び式（ＣＨ２）２−Ｘ１−（ＣＨ２）２の結合基から選ばれ；
Ｘ１は独立してＯ、Ｓ及びＣＨ２から選ばれ；
ＱはＮＲ２、Ｏ、Ｓ、ＮＲ２２、ＣＨＲ２３、Ｘ４ＣＨ（Ｒ２３）、ＣＨ（Ｒ２３）Ｘ４から選ばれ、ここでＸ４はＯ、Ｓ、ＣＨ２、ＮＲ２２及びＮＲ２から選ばれ；
Ｒ２はＨ、ＳＯ２Ｒ２ａ、ＣＯ２Ｒ２ａ、Ｃ（＝Ｏ）Ｒ２ａ、Ｃ（＝Ｏ）ＮＲ２ｃＲ２ｄ、場合により置換されていることができるアルキル、場合により置換されていることができるアルケニル及び場合により置換されていることができるアルキニルから選ばれ、ここで該場合による置換基は１〜約３個のＲ５基であり；
Ｒ２ａは独立して場合により置換されていることができるアルキル、場合により置換されていることができるアリール、場合により置換されていることができるカルボシクリル、場合により置換されていることができるヘテロシクリル、ＯＲ２ｂ、ＣＯＮＨ２、ＮＲ２ｃＲ２ｄ、（ＣＨ２）ｐＮＲ２ｃＲ２ｄ及びＯ（ＣＨ２）ｐＮＲ２ｃＲ２ｄから選ばれ；
Ｒ２ｂはＨ及び場合により置換されていることができるアルキルから選ばれ；
Ｒ２ｃ及びＲ２ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ３及びＲ４はそれぞれ独立して：
（ａ）Ｈ、アリール、ヘテロアリール、Ｆ、Ｃｌ、Ｂｒ、Ｉ、ＣＮ、ＣＦ３、ＮＯ２、ＯＨ、ＯＲ９、Ｏ（ＣＨ２）ｐＮＲ１１Ｒ１２、ＯＣ（＝Ｏ）Ｒ９、ＯＣ（＝Ｏ）ＮＲ１１Ｒ１２、Ｏ（ＣＨ２）ｐＯＲ１０、ＣＨ２ＯＲ１０、ＮＲ１１Ｒ１２、ＮＲ１０Ｓ（＝Ｏ）２Ｒ９及びＮＲ１０Ｃ（＝Ｏ）Ｒ９；
（ｂ）ＣＨ２ＯＲ１４；
（ｃ）ＮＲ１０Ｃ（＝Ｏ）ＮＲ１１Ｒ１２、ＣＯ２Ｒ１０、Ｃ（＝Ｏ）Ｒ９、Ｃ（＝Ｏ）ＮＲ１１Ｒ１２、ＣＨ＝ＮＯＲ１０、ＣＨ＝ＮＲ１０、（ＣＨ２）ｐＮＲ１１Ｒ１２、（ＣＨ２）ｐＮＨＲ１４及びＣＨ＝ＮＮＲ１１Ｒ１２；
（ｄ）Ｓ（Ｏ）ｙＲ９、（ＣＨ２）ｐＳ（Ｏ）ｙＲ９及びＣＨ２Ｓ（Ｏ）ｙＲ１４；
（ｅ）場合による置換基が１〜約３個のＲ５基である、場合により置換されていることができるアルキル、場合により置換されていることができるアルケニル及び場合により置換されていることができるアルキニル
から選ばれ；
Ｒ９はアルキル、（ＣＨ２）ｒアリール及び（ＣＨ２）ｒヘテロアリールから選ばれ；
Ｒ１０はＨ、アルキル、（ＣＨ２）ｒアリール及び（ＣＨ２）ｒヘテロアリールから選ばれ；
Ｒ１１及びＲ１２は独立してＨ及び場合により置換されていることができるアルキルから選ばれるか、又は一緒になって式（ＣＨ２）２−Ｘ１−（ＣＨ２）２の結合基を形成し；
Ｒ５はアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、ＣＮ、ＮＯ２、ＯＨ、ＯＲ９、Ｘ２（ＣＨ２）ｐＮＲ１１Ｒ１２、Ｘ２（ＣＨ２）ｐＣ（＝Ｏ）ＮＲ１１Ｒ１２、Ｘ２（ＣＨ２）ｐＯＣ（＝Ｏ）ＮＲ１１Ｒ１２、Ｘ２（ＣＨ２）ｐＣＯ２Ｒ９、Ｘ２（ＣＨ２）ｐＳ（Ｏ）ｙＲ９、Ｘ２（ＣＨ２）ｐＮＲ１０Ｃ（＝Ｏ）ＮＲ１１Ｒ１２、ＯＣ（＝Ｏ）Ｒ９、ＯＣ（＝Ｏ）ＮＨＲ１０、Ｏ−テトラヒドロピラニル、ＮＲ１１Ｒ１２、ＮＲ１０Ｃ（＝Ｏ）Ｒ９、ＮＲ１０ＣＯ２Ｒ９、ＮＲ１０Ｃ（＝Ｏ）ＮＲ１１Ｒ１２、ＮＨＣ（＝ＮＨ）ＮＨ２、ＮＲ１０Ｓ（Ｏ）２Ｒ９、Ｓ（Ｏ）ｙＲ９、ＣＯ２Ｒ１０、Ｃ（＝Ｏ）ＮＲ１１Ｒ１２、Ｃ（＝Ｏ）Ｒ９、ＣＨ２ＯＲ１０、ＣＨ＝ＮＮＲ１１Ｒ１２、ＣＨ＝ＮＯＲ１０、ＣＨ＝ＮＲ９、ＣＨ＝ＮＮＨＣＨ（Ｎ＝ＮＨ）ＮＨ２、Ｓ（＝Ｏ）２ＮＲ１１Ｒ１２、Ｐ（＝Ｏ）（ＯＲ１０）２、ＯＲ１４及び単糖から選ばれ、ここで単糖のそれぞれのヒドロキシル基は独立して非置換であるか、又はＨ、アルキル、アルキルカルボニルオキシもしくはアルコキシにより置き換えられており；
Ｘ２はＯ、Ｓ又はＮＲ１０であり；
Ｙは：
（ａ）直接結合；
（ｂ）場合による置換基が１〜約３個のＲ１９基である、場合により置換されていることができるＣＨ２、ＣＨ２ＣＨ２又はＣＨ２ＣＨ２ＣＨ２；ならびに
（ｃ）ＣＨ＝ＣＨ、ＣＨ（ＯＨ）−ＣＨ（ＯＨ）、Ｏ、Ｓ、Ｓ（＝Ｏ）、Ｓ（＝Ｏ）２、Ｃ（Ｒ１８）２、Ｃ＝Ｃ（Ｒ１９）２、Ｃ（＝Ｏ）、Ｃ（＝ＮＯＲ２０）、Ｃ（ＯＲ２０）Ｒ２０、Ｃ（＝Ｏ）ＣＨ（Ｒ１８）、ＣＨ（Ｒ１８）Ｃ（＝Ｏ）、Ｃ（＝ＮＯＲ２０）ＣＨ（Ｒ１８）、ＣＨＲ２１Ｃ（＝ＮＯＲ２０）、Ｃ（＝Ｏ）Ｎ（Ｒ２１）、Ｎ（Ｒ２１）Ｃ（＝Ｏ）、ＺがＣ（Ｒ２０）２、Ｏ、Ｓ、ＣＯ２Ｒ２０、Ｃ（＝ＮＯＲ２０）及びＮ（Ｒ２０）から選ばれるＣＨ２Ｚ、ＺＣＨ２及びＣＨ２ＺＣＨ２
から選ばれ；
Ｒ１８は独立してＨ、ＳＯ２Ｒ１８ａ、ＣＯ２Ｒ１８ａ、Ｃ（＝Ｏ）Ｒ１８ａ、Ｃ（＝Ｏ）ＮＲ１８ｃＲ１８ｄ、場合により置換されていることができるアルキル、場合により置換されていることができるアルケニル及び場合により置換されていることができるアルキニルから選ばれ；
Ｒ１８ａは独立して場合により置換されていることができるアルキル、場合により置換されていることができるアリール、場合により置換されていることができるカルボシクリル及び場合により置換されていることができるヘテロシクリルから選ばれ；
Ｒ１８ｃ及びＲ１８ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ１９は独立してＲ２０、チオアルキル、ハロゲン、場合により置換されていることができるアルキル、場合により置換されていることができるアルケニル及び場合により置換されていることができるアルキニルから選ばれ；
Ｒ２０は独立してＨ、アルキル、ＯＨ、アルコキシ、ＯＣ（＝Ｏ）Ｒ１８ａ、ＯＣ（＝Ｏ）ＮＲ１８ｃＲ１８ｄ、ＯＣ（＝Ｓ）ＮＲ１８ｃＲ１８ｄ、Ｏ（ＣＨ２）ｐＮＲ１８ｃＲ１８ｄ、Ｏ（ＣＨ２）ｐＯＲ２１、場合により置換されていることができるアリールアルキル、場合により置換されていることができるヘテロシクリルアルキル及び場合により置換されていることができるカルボシクリルから選ばれ；
Ｒ２１は独立してＨ及びアルキルから選ばれ；
Ｑ’は：
（ａ）直接結合；
（ｂ）ＮＲ６；
（ｃ）場合により置換されていることができるＣＨ２、ＣＨ２ＣＨ２又はＣＨ２ＣＨ２ＣＨ２；
（ｄ）ＣＲ２２Ｒ２４；ならびに
（ｅ）ＣＨ＝ＣＨ、ＣＨ（ＯＨ）ＣＨ（ＯＨ）、Ｏ、Ｓ、Ｓ（＝Ｏ）、Ｓ（＝Ｏ）２、Ｃ（＝Ｏ）、Ｃ（＝ＮＯＲ１１）、Ｃ（ＯＲ１１）（Ｒ１２）、Ｃ（＝Ｏ）ＣＨ（Ｒ１３）、ＣＨ（Ｒ１３）Ｃ（＝Ｏ）、Ｃ（Ｒ１０）２、Ｃ（＝ＮＯＲ１１）ＣＨ（Ｒ１３）、ＣＨ（Ｒ１３）Ｃ（＝ＮＯＲ１１）、ＣＨ２Ｚ’、Ｚ’−ＣＨ２及びＣＨ２Ｚ’ＣＨ２
から選ばれ；
Ｚ’はＣ（Ｒ１１）（ＯＲ１２）、Ｏ、Ｓ、Ｃ（＝Ｏ）、Ｃ（＝ＮＯＲ１１）及びＮＲ１１から選ばれ；
Ｒ６はＨ、ＳＯ２Ｒ２ａ、ＣＯ２Ｒ２ａ、Ｃ（＝Ｏ）Ｒ２ａ、Ｃ（＝Ｏ）ＮＲ１ｃＲ１ｄ、場合により置換されていることができるアルキル、場合により置換されていることができるアルケニル及び場合により置換されていることができるアルキニルから選ばれ、ここで該場合による置換基は１〜約３個のＲ５基であるか；あるいは
また、ＱがＮＲ２であり、Ｑ’がＮＲ６又はＣ（Ｒ１０）２である場合、Ｒ２及びＲ６又はＲ１０の１つは一緒になって：
【化４７】
2002525329.tif 000047
を形成し、
ここでＲ７及びＲ８はそれぞれ独立してＨ、ＯＨ、アルキル、アルコキシ、場合により置換されていることができるアリールアルキル、場合により置換されていることができるヘテロアリールアルキル、（ＣＨ２）ｐＯＲ１０、（ＣＨ２）ｐＯＣ（＝Ｏ）ＮＲ１１Ｒ１２及び（ＣＨ２）ｐＮＲ１１Ｒ１２から選ばれるか；あるいはＲ７とＲ８は一緒になって式ＣＨ２−Ｘ３−ＣＨ２の結合基を形成し；
Ｘ３は結合、Ｏ、Ｓ又はＮＲ１０であり；
Ｊは結合、Ｏ、ＣＨ＝ＣＨ、Ｓ、Ｃ（＝Ｏ）、ＣＨ（ＯＲ１０）、Ｎ（Ｒ１０）、Ｎ（ＯＲ１０）、ＣＨ（ＮＲ１１Ｒ１２）、Ｃ（＝Ｏ）Ｎ（Ｒ１７）、Ｎ（Ｒ１７）Ｃ（＝Ｏ）、Ｎ（Ｓ（Ｏ）ｙＲ９）、Ｎ（Ｓ（Ｏ）ｙＮＲ１１Ｒ１２）、Ｎ（Ｃ（＝Ｏ）Ｒ１７）、Ｃ（Ｒ１５Ｒ１６）、Ｎ＋（Ｏ−）（Ｒ１０）、ＣＨ（ＯＨ）ＣＨ（ＯＨ）及びＣＨ（Ｏ（Ｃ＝Ｏ）Ｒ９）ＣＨ（ＯＣ（＝Ｏ）Ｒ９）から選ばれ；
Ｊ’はＯ、Ｓ、Ｎ（Ｒ１０）、Ｎ＋（Ｏ−）（Ｒ１０）、Ｎ（ＯＲ１０）及びＣＨ２から選ばれ；
Ｒ１３はアルキル、アリール及びアリールアルキルから選らばれ；
Ｒ１４はカルボキシル基のヒドロキシル基が除去された後のアミノ酸の残基であり；
Ｒ１５及びＲ１６は独立してＨ、ＯＨ、Ｃ（＝Ｏ）Ｒ１０、Ｏ（Ｃ＝Ｏ）Ｒ９、アルキル−ＯＨ、アルコキシ及びＣＯ２Ｒ１０から選ばれ；
Ｒ１７はＨ、アルキル、アリール及びヘテロアリールから選ばれ；
Ｒ２２は
【化４８】
2002525329.tif 000048
であり、
Ｘ５及びＸ６は独立してＯ、Ｎ、Ｓ、ＣＨＲ２６、Ｃ（ＯＨ）Ｒ２６、Ｃ（＝Ｏ）及びＣＨ２＝Ｃから選ばれ；
Ｘ７及びＸ８は独立して結合、Ｏ、Ｎ、Ｓ、ＣＨＲ２６、Ｃ（ＯＨ）Ｒ２６、Ｃ（＝Ｏ）及びＣＨ２＝Ｃから選ばれ；
Ｘ９及びＸ１０は独立して結合、Ｏ、Ｎ、Ｓ、Ｃ（＝Ｏ）及びＣＨＲ２６から選ばれ；
Ｘ１１は結合又は場合によりＮＲ１１Ｒ１２もしくはＯＲ３０で置換されていることができるアルキレンであり；
Ｒ２３はＨ、ＯＲ２７、ＳＲ２７、Ｒ２２及びＲ２８から選ばれ；
Ｒ２４はＲ、チオアルキル及びハロゲンから選ばれ；
Ｒ２５はＲ１及びＯＣ（＝Ｏ）ＮＲ１ｃＲ１ｄから選ばれ；
Ｒ２６はＨ、場合により置換されていることができるアルキル及び場合により置換されていることができるアルコキシから選ばれ、
ここで
（１）環Ｇは０〜約３個の環複素原子を含有し；
（２）環Ｇのいずれか２つの隣接ヒドロキシル基は一緒になってジオキソラン環を形成することができ；
（３）環Ｇのいずれか２つの隣接環炭素原子は一緒になって縮合アリールもしくはヘテロアリール環を形成することができ；但し；
（ａ）Ｘ１１が結合の場合、環Ｇはヘテロアリールであることができ；
（ｂ）環Ｇは：
（ｉ）少なくとも１つの飽和されている炭素原子を含有し；
（ｉｉ）２つの隣接する環Ｏ原子を含有せず；
（ｉｉｉ）最高で２個のＣ（＝Ｏ）基を含有し；
Ｒ２７はＨ及びアルキルから選ばれ；
Ｒ２８はアリール、アリールアルキル、ＳＯ２Ｒ２９、ＣＯ２Ｒ２９、Ｃ（＝Ｏ）Ｒ２９、場合により置換されていることができるアルキル、場合により置換されていることができるアルケニル及び場合により置換されていることができるアルキニルから選ばれ；
Ｒ２９はアルキル、アリール及びヘテロアリールから選ばれ；
Ｒ３０はＨ、アルキル、アシル及びＣ（＝Ｏ）ＮＲ１１Ｒ１２から選ばれ；
ｍは独立して０、１及び２から選ばれ；
ｐは独立して１、２、３及び４から選ばれ；
ｒは独立して０、１及び２から選ばれ；
ｙは独立して０、１及び２から選ばれ；
ｚは０、１、２、３及び４から選ばれ；
但し、Ｙ及びＱ’の少なくとも１つは直接結合であり、Ｙが直接結合の場合にはＱ’は直接結合以外であり、Ｑ’が直接結合の場合にはＹは直接結合以外であり、環Ｂ及びＦがフェニルであり、Ｇ−Ｘ−ＷがＣＨ２ＮＨＣ（＝Ｏ）であり、Ｙが直接結合であり、ＱがＮＲ２であり、Ｑ’がＮＲ６であり、ここでＲ６がＲ２と一緒になって
【化４９】
2002525329.tif 000049
を形成する場合、Ｒ３はＣＨ２ＳＣＨ２ＣＨ３以外である］
を有する式Ｉの縮合ピロロカルバゾールあるいはそれらの立体異性体又は製薬学的に許容され得る塩の形態を有効成分として含有することを特徴とする、損傷を受けた感覚毛細胞を処置するための薬剤。
【請求項９３】  Ｙが直接結合であり；
ＱがＮＲ２である
請求項９２に従う薬剤。
【請求項９４】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２及びＣ（＝Ｏ）ＮＲ１Ｃ（＝Ｏ）から選ばれ、Ｑ’がＮＲ６である請求項９３に従う薬剤。
【請求項９５】  縮合ピロロカルバゾールが式：
【化５０】
2002525329.tif 000050
を有する請求項９４に従う薬剤。
【請求項９６】  縮合ピロロカルバゾールのＲ３及びＲ４がＨ、アルキル、Ｃｌ、Ｂｒ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項９５に従う薬剤。
【請求項９７】  縮合ピロロカルバゾールが式：
【化５１】
2002525329.tif 000051
を有する請求項９６に従う薬剤。
【請求項９８】  Ｑ’がＣＨ２、ＣＨ２ＣＨ２、Ｓ又はＣＨ（ＣＨ（ＣＨ３）（ＯＨ））である
請求項９３に従う薬剤。
【請求項９９】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２から選ばれる請求項９８に従う薬剤。
【請求項１００】  縮合ピロロカルバゾールが式
【化５２】
2002525329.tif 000052
を有する請求項９９に従う薬剤。
【請求項１０１】  Ｒ２がＨ、ＣＨ２ＣＨ２ＯＨ、ＣＨ２ＣＨ２ＮＨＣ（＝Ｏ）−Ｃ６Ｈ５−ＯＨ、ＣＨ２ＣＨ２ＣＨ２ＯＨであり、縮合ピロロカルバゾールのＲ３及びＲ４がＨ、アルキル、Ｃｌ、Ｂｒ、アルコキシ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項１００に従う薬剤。
【請求項１０２】  縮合ピロロカルバゾールが式：
【化５３】
2002525329.tif 000053
を有する請求項１０１に従う薬剤。
【請求項１０３】  縮合ピロロカルバゾールが式：
【化５４】
2002525329.tif 000054
を有する請求項９９に従う薬剤。
【請求項１０４】  該感覚毛細胞の死が障害の故である請求項９２の薬剤。
【請求項１０５】  該障害が騒音である請求項９３の薬剤。
【請求項１０６】  該障害が感染である請求項９３の薬剤。
【請求項１０７】  該障害が薬物毒性である請求項９３の薬剤。
【請求項１０８】  該薬物毒性がアミノグリコシド及び白金に基づく細胞毒性薬剤より成る群から選ばれる薬物により引き起こされる請求項１０７の薬剤。
【請求項１０９】  該薬物毒性がアミノグリコシドにより引き起こされる請求項１０８の薬剤。
【請求項１１０】  該薬物毒性が白金に基づく細胞毒性薬剤により引き起こされる請求項１０８の薬剤。
【請求項１１１】  該白金に基づく細胞毒性薬剤がシスプラチン又はカルボプラチンである請求項１１０の薬剤。
【請求項１１２】  障害−前、−後、ならびに−前及び−後に式Ｉを投与する請求項９２の薬剤。
【請求項１１３】  式Ｉを経口的に投与する請求項９２の薬剤。
【請求項１１４】  式Ｉを局所的に投与する請求項９２の薬剤。
【請求項１１５】  該局所的投与が点耳剤を介する請求項１１４の薬剤。
【請求項１１６】  式Ｉを皮下的に投与する請求項９２の薬剤。
【請求項１１７】  式：
【化５５】
2002525329.tif 000055
［式中：
環Ｄはフェニル及び二重結合ａ−ｂを有するシクロヘキセンから選ばれ；
環Ｂ及び環Ｆは独立して：
（ａ）１〜３個の炭素原子が複素原子で置き換えられていることができる６−員炭素環式環；
（ｂ）５−員炭素環式環；及び
（ｃ）（１）１つの炭素原子が酸素、窒素もしくは硫黄原子で置き換えられているか；
（２）２つの炭素原子が硫黄及び窒素原子、酸素及び窒素原子、又は２つの窒素原子で置き換えられているか；あるいは
（３）３個の炭素原子が３個の窒素原子、１つの酸素及び２つの窒素原子、又は１つの硫黄及び２つの窒素原子で置き換えられている
５−員炭素環式環
から選ばれ；
Ｇ−Ｘ−Ｗは：
（ａ）（Ｚ１Ｚ２）Ｃ−Ｎ（Ｒ１）−Ｃ（Ｚ１Ｚ２）；
（ｂ）ＣＨ（Ｒ１）−Ｃ（＝Ｏ）−Ｎ（Ｒ１）；及び
（ｃ）Ｎ（Ｒ１）−Ｃ（＝Ｏ）−ＣＨ（Ｒ１）
から選ばれ、
Ｚ１及びＺ２は、それぞれの存在において独立してＨ，Ｈ；Ｈ，ＯＲ；Ｈ，ＳＲ；Ｈ，Ｎ（Ｒ）２；ならびにＺ１及びＺ２が一緒になって＝Ｏ、＝Ｓ及び＝ＮＲから選ばれる部分を形成する基から選ばれ；但しＺ１とＺ２の対の少なくとも１つは＝Ｏを形成し；
Ｒは独立してＨ、場合により置換されていることができるアルキル、ＯＨ、アルコキシ、ＯＣ（＝Ｏ）Ｒ１ａ、ＯＣ（＝Ｏ）ＮＲ１ｃＲ１ｄ、Ｏ（ＣＨ２）ｐＮＲ１ＣＲ１ｄ、Ｏ（ＣＨ２）ｐＯＲ１ｂ、場合により置換されていることができるアリールアルキル及び場合により置換されていることができるヘテロアリールアルキルから選ばれ；
Ｒ１は独立して：
（ａ）Ｈ、場合により置換されていることができるアルキル、場合により置換されていることができるアリール、場合により置換されていることができるアリールアルキル、場合により置換されていることができるヘテロアリール及び場合により置換されていることができるヘテロアリールアルキル；
（ｂ）Ｃ（＝Ｏ）Ｒ１ａ；
（ｃ）ＯＲ１ｂ；
（ｄ）Ｃ（＝Ｏ）ＮＨＲ１ｂ、ＮＲ１ｃＲ１ｄ、（ＣＨ２）ｐＮＲ１ｃＲ１ｄ、（ＣＨ２）ｐＯＲ１ｂ、Ｏ（ＣＨ２）ｐＯＲ１ｂ及びＯ（ＣＨ２）ｐＮＲ１ｃＲ１ｄ
から選ばれ；
Ｒ１ａは独立して場合により置換されていることができるアルキル、場合により置換されていることができるアリール及び場合により置換されていることができるヘテロアリールから選ばれ；
Ｒ１ｂは独立してＨ及び場合により置換されていることができるアルキルから選ばれ；
Ｒ１ｃ及びＲ１ｄはそれぞれ独立してＨ、場合により置換されていることができるアルキル及び式（ＣＨ２）２−Ｘ１−（ＣＨ２）２の結合基から選ばれ；
Ｘ１は独立してＯ、Ｓ及びＣＨ２から選ばれ；
ＱはＮＲ２、Ｏ、Ｓ、ＮＲ２２、ＣＨＲ２３、Ｘ４ＣＨ（Ｒ２３）、ＣＨ（Ｒ２３）Ｘ４から選ばれ、ここでＸ４はＯ、Ｓ、ＣＨ２、ＮＲ２２及びＮＲ２から選ばれ；
Ｒ２はＨ、ＳＯ２Ｒ２ａ、ＣＯ２Ｒ２ａ、Ｃ（＝Ｏ）Ｒ２ａ、Ｃ（＝Ｏ）ＮＲ２ｃＲ２ｄ、場合により置換されていることができるアルキル、場合により置換されていることができるアルケニル及び場合により置換されていることができるアルキニルから選ばれ、ここで該場合による置換基は１〜約３個のＲ５基であり；
Ｒ２ａは独立して場合により置換されていることができるアルキル、場合により置換されていることができるアリール、場合により置換されていることができるカルボシクリル、場合により置換されていることができるヘテロシクリル、ＯＲ２ｂ、ＣＯＮＨ２、ＮＲ２ｃＲ２ｄ、（ＣＨ２）ｐＮＲ２ｃＲ２ｄ及びＯ（ＣＨ２）ｐＮＲ２ｃＲ２ｄから選ばれ；
Ｒ２ｂはＨ及び場合により置換されていることができるアルキルから選ばれ；
Ｒ２ｃ及びＲ２ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ３及びＲ４はそれぞれ独立して：
（ａ）Ｈ、アリール、ヘテロアリール、Ｆ、Ｃｌ、Ｂｒ、Ｉ、ＣＮ、ＣＦ３、ＮＯ２、ＯＨ、ＯＲ９、Ｏ（ＣＨ２）ｐＮＲ１１Ｒ１２、ＯＣ（＝Ｏ）Ｒ９、ＯＣ（＝Ｏ）ＮＲ１１Ｒ１２、Ｏ（ＣＨ２）ｐＯＲ１０、ＣＨ２ＯＲ１０、ＮＲ１１Ｒ１２、ＮＲ１０Ｓ（＝Ｏ）２Ｒ９及びＮＲ１０Ｃ（＝Ｏ）Ｒ９；
（ｂ）ＣＨ２ＯＲ１４；
（ｃ）ＮＲ１０Ｃ（＝Ｏ）ＮＲ１１Ｒ１２、ＣＯ２Ｒ１０、Ｃ（＝Ｏ）Ｒ９、Ｃ（＝Ｏ）ＮＲ１１Ｒ１２、ＣＨ＝ＮＯＲ１０、ＣＨ＝ＮＲ１０、（ＣＨ２）ｐＮＲ１１Ｒ１２、（ＣＨ２）ｐＮＨＲ１４及びＣＨ＝ＮＮＲ１１Ｒ１２；
（ｄ）Ｓ（Ｏ）ｙＲ９、（ＣＨ２）ｐＳ（Ｏ）ｙＲ９及びＣＨ２Ｓ（Ｏ）ｙＲ１４；
（ｅ）場合による置換基が１〜約３個のＲ５基である、場合により置換されていることができるアルキル、場合により置換されていることができるアルケニル及び場合により置換されていることができるアルキニル
から選ばれ；
Ｒ９はアルキル、（ＣＨ２）ｒアリール及び（ＣＨ２）ｒヘテロアリールから選ばれ；
Ｒ１０はＨ、アルキル、（ＣＨ２）ｒアリール及び（ＣＨ２）ｒヘテロアリールから選ばれ；
Ｒ１１及びＲ１２は独立してＨ及び場合により置換されていることができるアルキルから選ばれるか、又は一緒になって式（ＣＨ２）２−Ｘ１−（ＣＨ２）２の結合基を形成し；
Ｒ５はアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、ＣＮ、ＮＯ２、ＯＨ、ＯＲ９、Ｘ２（ＣＨ２）ｐＮＲ１１Ｒ１２、Ｘ２（ＣＨ２）ｐＣ（＝Ｏ）ＮＲ１１Ｒ１２、Ｘ２（ＣＨ２）ｐＯＣ（＝Ｏ）ＮＲ１１Ｒ１２、Ｘ２（ＣＨ２）ｐＣＯ２Ｒ９、Ｘ２（ＣＨ２）ｐＳ（Ｏ）ｙＲ９、Ｘ２（ＣＨ２）ｐＮＲ１０Ｃ（＝Ｏ）ＮＲ１１Ｒ１２、ＯＣ（＝Ｏ）Ｒ９、ＯＣ（＝Ｏ）ＮＨＲ１０、Ｏ−テトラヒドロピラニル、ＮＲ１１Ｒ１２、ＮＲ１０Ｃ（＝Ｏ）Ｒ９、ＮＲ１０ＣＯ２Ｒ９、ＮＲ１０Ｃ（＝Ｏ）ＮＲ１１Ｒ１２、ＮＨＣ（＝ＮＨ）ＮＨ２、ＮＲ１０Ｓ（Ｏ）２Ｒ９、Ｓ（Ｏ）ｙＲ９、ＣＯ２Ｒ１０、Ｃ（＝Ｏ）ＮＲ１１Ｒ１２、Ｃ（＝Ｏ）Ｒ９、ＣＨ２ＯＲ１０、ＣＨ＝ＮＮＲ１１Ｒ１２、ＣＨ＝ＮＯＲ１０、ＣＨ＝ＮＲ９、ＣＨ＝ＮＮＨＣＨ（Ｎ＝ＮＨ）ＮＨ２、Ｓ（＝Ｏ）２ＮＲ１１Ｒ１２、Ｐ（＝Ｏ）（ＯＲ１０）２、ＯＲ１４及び単糖から選ばれ、ここで単糖のそれぞれのヒドロキシル基は独立して非置換であるか、又はＨ、アルキル、アルキルカルボニルオキシもしくはアルコキシにより置き換えられており；
Ｘ２はＯ、Ｓ又はＮＲ１０であり；
Ｙは：
（ａ）直接結合；
（ｂ）場合による置換基が１〜約３個のＲ１９基である、場合により置換されていることができるＣＨ２、ＣＨ２ＣＨ２又はＣＨ２ＣＨ２ＣＨ２；ならびに
（ｃ）ＣＨ＝ＣＨ、ＣＨ（ＯＨ）−ＣＨ（ＯＨ）、Ｏ、Ｓ、Ｓ（＝Ｏ）、Ｓ（＝Ｏ）２、Ｃ（Ｒ１８）２、Ｃ＝Ｃ（Ｒ１９）２、Ｃ（＝Ｏ）、Ｃ（＝ＮＯＲ２０）、Ｃ（ＯＲ２０）Ｒ２０、Ｃ（＝Ｏ）ＣＨ（Ｒ１８）、ＣＨ（Ｒ１８）Ｃ（＝Ｏ）、Ｃ（＝ＮＯＲ２０）ＣＨ（Ｒ１８）、ＣＨＲ２１Ｃ（＝ＮＯＲ２０）、Ｃ（＝Ｏ）Ｎ（Ｒ２１）、Ｎ（Ｒ２１）Ｃ（＝Ｏ）、ＺがＣ（Ｒ２０）２、Ｏ、Ｓ、ＣＯ２Ｒ２０、Ｃ（＝ＮＯＲ２０）及びＮ（Ｒ２０）から選ばれるＣＨ２Ｚ、ＺＣＨ２及びＣＨ２ＺＣＨ２
から選ばれ；
Ｒ１８は独立してＨ、ＳＯ２Ｒ１８ａ、ＣＯ２Ｒ１８ａ、Ｃ（＝Ｏ）Ｒ１８ａ、Ｃ（＝Ｏ）ＮＲ１８ｃＲ１８ｄ、場合により置換されていることができるアルキル、場合により置換されていることができるアルケニル及び場合により置換されていることができるアルキニルから選ばれ；
Ｒ１８ａは独立して場合により置換されていることができるアルキル、場合により置換されていることができるアリール、場合により置換されていることができるカルボシクリル及び場合により置換されていることができるヘテロシクリルから選ばれ；
Ｒ１８ｃ及びＲ１８ｄはそれぞれ独立してＨ及び場合により置換されていることができるアルキルから選ばれるか、又は一緒になって式（ＣＨ２）２−Ｘ１−（ＣＨ２）２の結合基を形成し；
Ｒ１９は独立してＲ２０、チオアルキル、ハロゲン、場合により置換されていることができるアルキル、場合により置換されていることができるアルケニル及び場合により置換されていることができるアルキニルから選ばれ；
Ｒ２０は独立してＨ、アルキル、ＯＨ、アルコキシ、ＯＣ（＝Ｏ）Ｒ１８ａ、ＯＣ（＝Ｏ）ＮＲ１８ｃＲ１８ｄ、ＯＣ（＝Ｓ）ＮＲ１８ｃＲ１８ｄ、Ｏ（ＣＨ２）ｐＮＲ１８ｃＲ１８ｄ、Ｏ（ＣＨ２）ｐＯＲ２１、場合により置換されていることができるアリールアルキル、場合により置換されていることができるヘテロシクリルアルキル及び場合により置換されていることができるカルボシクリルから選ばれ；
Ｒ２１は独立してＨ及びアルキルから選ばれ；
Ｑ’は：
（ａ）直接結合；
（ｂ）ＮＲ６；
（ｃ）場合により置換されていることができるＣＨ２、ＣＨ２ＣＨ２又はＣＨ２ＣＨ２ＣＨ２；
（ｄ）ＣＲ２２Ｒ２４；ならびに
（ｅ）ＣＨ＝ＣＨ、ＣＨ（ＯＨ）ＣＨ（ＯＨ）、Ｏ、Ｓ、Ｓ（＝Ｏ）、Ｓ（＝Ｏ）２、Ｃ（＝Ｏ）、Ｃ（＝ＮＯＲ１１）、Ｃ（ＯＲ１１）（Ｒ１２）、Ｃ（＝Ｏ）ＣＨ（Ｒ１３）、ＣＨ（Ｒ１３）Ｃ（＝Ｏ）、Ｃ（Ｒ１０）２、Ｃ（＝ＮＯＲ１１）ＣＨ（Ｒ１３）、ＣＨ（Ｒ１３）Ｃ（＝ＮＯＲ１１）、ＣＨ２Ｚ’、Ｚ’−ＣＨ２及びＣＨ２Ｚ’ＣＨ２
から選ばれ；
Ｚ’はＣ（Ｒ１１）（ＯＲ１２）、Ｏ、Ｓ、Ｃ（＝Ｏ）、Ｃ（＝ＮＯＲ１１）及びＮＲ１１から選ばれ；
Ｒ６はＨ、ＳＯ２Ｒ２ａ、ＣＯ２Ｒ２ａ、Ｃ（＝Ｏ）Ｒ２ａ、Ｃ（＝Ｏ）ＮＲ１ｃＲ１ｄ、場合により置換されていることができるアルキル、場合により置換されていることができるアルケニル及び場合により置換されていることができるアルキニルから選ばれ、ここで該場合による置換基は１〜約３個のＲ５基であるか；あるいは
また、ＱがＮＲ２であり、Ｑ’がＮＲ６又はＣ（Ｒ１０）２である場合、Ｒ２及びＲ６又はＲ１０の１つは一緒になって：
【化５６】
2002525329.tif 000056
を形成し、
ここでＲ７及びＲ８はそれぞれ独立してＨ、ＯＨ、アルキル、アルコキシ、場合により置換されていることができるアリールアルキル、場合により置換されていることができるヘテロアリールアルキル、（ＣＨ２）ｐＯＲ１０、（ＣＨ２）ｐＯＣ（＝Ｏ）ＮＲ１１Ｒ１２及び（ＣＨ２）ｐＮＲ１１Ｒ１２から選ばれるか；あるいはＲ７とＲ８は一緒になって式ＣＨ２−Ｘ３−ＣＨ２の結合基を形成し；
Ｘ３は結合、Ｏ、Ｓ又はＮＲ１０であり；
Ｊは結合、Ｏ、ＣＨ＝ＣＨ、Ｓ、Ｃ（＝Ｏ）、ＣＨ（ＯＲ１０）、Ｎ（Ｒ１０）、Ｎ（ＯＲ１０）、ＣＨ（ＮＲ１１Ｒ１２）、Ｃ（＝Ｏ）Ｎ（Ｒ１７）、Ｎ（Ｒ１７）Ｃ（＝Ｏ）、Ｎ（Ｓ（Ｏ）ｙＲ９）、Ｎ（Ｓ（Ｏ）ｙＮＲ１１Ｒ１２）、Ｎ（Ｃ（＝Ｏ）Ｒ１７）、Ｃ（Ｒ１５Ｒ１６）、Ｎ＋（Ｏ−）（Ｒ１０）、ＣＨ（ＯＨ）ＣＨ（ＯＨ）及びＣＨ（Ｏ（Ｃ＝Ｏ）Ｒ９）ＣＨ（ＯＣ（＝Ｏ）Ｒ９）から選ばれ；
Ｊ’はＯ、Ｓ、Ｎ（Ｒ１０）、Ｎ＋（Ｏ−）（Ｒ１０）、Ｎ（ＯＲ１０）及びＣＨ２から選ばれ；
Ｒ１３はアルキル、アリール及びアリールアルキルから選らばれ；
Ｒ１４はカルボキシル基のヒドロキシル基が除去された後のアミノ酸の残基であり；
Ｒ１５及びＲ１６は独立してＨ、ＯＨ、Ｃ（＝Ｏ）Ｒ１０、Ｏ（Ｃ＝Ｏ）Ｒ９、アルキル−ＯＨ、アルコキシ及びＣＯ２Ｒ１０から選ばれ；
Ｒ１７はＨ、アルキル、アリール及びヘテロアリールから選ばれ；
Ｒ２２は
【化５７】
2002525329.tif 000057
であり、
Ｘ５及びＸ６は独立してＯ、Ｎ、Ｓ、ＣＨＲ２６、Ｃ（ＯＨ）Ｒ２６、Ｃ（＝Ｏ）及びＣＨ２＝Ｃから選ばれ；
Ｘ７及びＸ８は独立して結合、Ｏ、Ｎ、Ｓ、ＣＨＲ２６、Ｃ（ＯＨ）Ｒ２６、Ｃ（＝Ｏ）及びＣＨ２＝Ｃから選ばれ；
Ｘ９及びＸ１０は独立して結合、Ｏ、Ｎ、Ｓ、Ｃ（＝Ｏ）及びＣＨＲ２６から選ばれ；
Ｘ１１は結合又は場合によりＮＲ１１Ｒ１２もしくはＯＲ３０で置換されていることができるアルキレンであり；
Ｒ２３はＨ、ＯＲ２７、ＳＲ２７、Ｒ２２及びＲ２８から選ばれ；
Ｒ２４はＲ、チオアルキル及びハロゲンから選ばれ；
Ｒ２５はＲ１及びＯＣ（＝Ｏ）ＮＲ１ｃＲ１ｄから選ばれ；
Ｒ２６はＨ、場合により置換されていることができるアルキル及び場合により置換されていることができるアルコキシから選ばれ、
ここで
（１）環Ｇは０〜約３個の環複素原子を含有し；
（２）環Ｇのいずれか２つの隣接ヒドロキシル基は一緒になってジオキソラン環を形成することができ；
（３）環Ｇのいずれか２つの隣接環炭素原子は一緒になって縮合アリールもしくはヘテロアリール環を形成することができ；但し；
（ａ）Ｘ１１が結合の場合、環Ｇはヘテロアリールであることができ；
（ｂ）環Ｇは：
（ｉ）少なくとも１つの飽和されている炭素原子を含有し；
（ｉｉ）２つの隣接する環Ｏ原子を含有せず；
（ｉｉｉ）最高で２個のＣ（＝Ｏ）基を含有し；
Ｒ２７はＨ及びアルキルから選ばれ；
Ｒ２８はアリール、アリールアルキル、ＳＯ２Ｒ２９、ＣＯ２Ｒ２９、Ｃ（＝Ｏ）Ｒ２９、場合により置換されていることができるアルキル、場合により置換されていることができるアルケニル及び場合により置換されていることができるアルキニルから選ばれ；
Ｒ２９はアルキル、アリール及びヘテロアリールから選ばれ；
Ｒ３０はＨ、アルキル、アシル及びＣ（＝Ｏ）ＮＲ１１Ｒ１２から選ばれ；
ｍは独立して０、１及び２から選ばれ；
ｐは独立して１、２、３及び４から選ばれ；
ｒは独立して０、１及び２から選ばれ；
ｙは独立して０、１及び２から選ばれ；
ｚは０、１、２、３及び４から選ばれ；
但し、Ｙ及びＱ’の少なくとも１つは直接結合であり、Ｙが直接結合の場合にはＱ’は直接結合以外であり、Ｑ’が直接結合の場合にはＹは直接結合以外であり、環Ｂ及びＦがフェニルであり、Ｇ−Ｘ−ＷがＣＨ２ＮＨＣ（＝Ｏ）であり、Ｙが直接結合であり、ＱがＮＲ２であり、Ｑ’がＮＲ６であり、ここでＲ６がＲ２と一緒になって
【化５８】
2002525329.tif 000058
を形成する場合、Ｒ３はＣＨ２ＳＣＨ２ＣＨ３以外である］
を有する式Ｉの縮合ピロロカルバゾールあるいはそれらの立体異性体又は製薬学的に許容され得る塩の形態を有効成分として含有することを特徴とする、患者における蝸牛ニューロンの死を予防するための薬剤。
【請求項１１８】  Ｙが直接結合であり；
ＱがＮＲ２である
請求項１１７に従う薬剤。
【請求項１１９】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２及びＣ（＝Ｏ）ＮＲ１Ｃ（＝Ｏ）から選ばれ、Ｑ’がＮＲ６である請求項１１８に従う薬剤。
【請求項１２０】  縮合ピロロカルバゾールが式：
【化５９】
2002525329.tif 000059
を有する請求項１１９に従う薬剤。
【請求項１２１】  縮合ピロロカルバゾールのＲ３及びＲ４がＨ、アルキル、Ｃｌ、Ｂｒ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項１２０に従う薬剤。
【請求項１２２】  縮合ピロロカルバゾールが式：
【化６０】
2002525329.tif 000060
を有する請求項１２１に従う薬剤。
【請求項１２３】  Ｑ’がＣＨ２、ＣＨ２ＣＨ２、Ｓ又はＣＨ（ＣＨ（ＣＨ３）（ＯＨ））である
請求項１１８に従う薬剤。
【請求項１２４】  縮合ピロロカルバゾールの環Ｂ及び環Ｆがフェニルであり、Ｇ−Ｘ−ＷがＣＨ２ＮＲ１Ｃ（＝Ｏ）、Ｃ（＝Ｏ）ＮＲ１ＣＨ２から選ばれる請求項１２３に従う薬剤。
【請求項１２５】  縮合ピロロカルバゾールが式
【化６１】
2002525329.tif 000061
を有する請求項１２４に従う薬剤。
【請求項１２６】  Ｒ２がＨ、ＣＨ２ＣＨ２ＯＨ、ＣＨ２ＣＨ２ＮＨＣ（＝Ｏ）−Ｃ６Ｈ５−ＯＨ、ＣＨ２ＣＨ２ＣＨ２ＯＨであり、縮合ピロロカルバゾールのＲ３及びＲ４がＨ、アルキル、Ｃｌ、Ｂｒ、アルコキシ、ＣＨ２ＯＨ、ＣＨ２ＳＯＣＨ２ＣＨ３、ＣＨ２ＳＯ２ＣＨ２ＣＨ３、ＮＨＣＯＮＨＣ６Ｈ５、ＣＨ２ＳＣＨ２ＣＨ３、ＣＨ２Ｓ−フェニル、ＣＨ２Ｓ−ピリジル、ＣＨＮＨＣＯ２ＣＨ３、ＣＨ２ＯＣ（＝Ｏ）ＮＨＣＨ２ＣＨ３、Ｎ（ＣＨ３）２、ＣＨ＝ＮＮＨ、ＣＨ２Ｎ（ＣＨ３）２及びＣＨ２ＯＣＨ２ＣＨ３から選ばれ；Ｒ７がＨ及びアルキルから選ばれ；Ｒ１５及びＲ１６が独立してＨ、アルキル、ＯＨ、ＣＨ２ＯＨ、アルコキシ及びＣＯ２アルキルから選ばれる請求項１２５に従う薬剤。
【請求項１２７】  縮合ピロロカルバゾールが式：
【化６２】
2002525329.tif 000062
を有する請求項１２６に従う薬剤。
【請求項１２８】  縮合ピロロカルバゾールが式：
【化６３】
2002525329.tif 000063
を有する請求項１２４に従う薬剤。
【請求項１２９】  該蝸牛ニューロンの死が障害の故である請求項１１７の薬剤。
【請求項１３０】  該障害が騒音である請求項１２９の薬剤。
【請求項１３１】  該障害が感染である請求項１２９の薬剤。
【請求項１３２】  該障害が薬物毒性である請求項１２９の薬剤。
【請求項１３３】  該薬物毒性がアミノグリコシド及び白金に基づく細胞毒性薬剤より成る群から選ばれる薬物により引き起こされる請求項１３２の薬剤。
【請求項１３４】  該薬物毒性がアミノグリコシドにより引き起こされる請求項１３２の薬剤。
【請求項１３５】  該薬物毒性が白金に基づく細胞毒性薬剤により引き起こされる請求項１３２の薬剤。
【請求項１３６】  該白金に基づく細胞毒性薬剤がシスプラチン又はカルボプラチンである請求項１３５の薬剤。
【請求項１３７】  障害−前、障害−後、ならびに障害−前及び−後に式Ｉを該患者に投与する請求項１１７の薬剤。
【請求項１３８】  式Ｉを経口的に投与する請求項１１７の薬剤。
【請求項１３９】  式Ｉを局所的に投与する請求項１１７の薬剤。
【請求項１４０】  該局所的投与が点耳剤を介する請求項１３９の薬剤。
【請求項１４１】  式Ｉを皮下的に投与する請求項１１７の薬剤。
【請求項１４２】  式ＩＩ；
【化６４】
2002525329.tif 000064
の化合物を有効成分として含有することを特徴とする、患者における聴覚障害を予防するための薬剤。
【請求項１４３】  式ＩＩ；
【化６５】
2002525329.tif 000065
の化合物を有効成分として含有することを特徴とする、患者における平衡感覚の喪失を予防するための薬剤。
【請求項１４４】  式ＩＩ；
【化６６】
2002525329.tif 000066
の化合物を有効成分として含有することを特徴とする、患者における感覚毛細胞の死を予防するための薬剤。
【請求項１４５】  該感覚毛細胞の死が障害の故である請求項１４４の薬剤。
【請求項１４６】  該障害が騒音である請求項１４５の薬剤。
【請求項１４７】  該障害が感染である請求項１４５の薬剤。
【請求項１４８】  該障害が薬物毒性である請求項１４５の薬剤。
【請求項１４９】  該薬物毒性がアミノグリコシド及び白金に基づく細胞毒性薬剤より成る群から選ばれる薬物により引き起こされる請求項１４８の薬剤
【請求項１５０】  該薬物毒性がアミノグリコシドにより引き起こされる請求項１４８の薬剤。
【請求項１５１】  該薬物毒性が白金に基づく細胞毒性薬剤により引き起こされる請求項１４８の薬剤。
【請求項１５２】  該白金に基づく細胞毒性薬剤がシスプラチン又はカルボプラチンである請求項１５１の薬剤。
【請求項１５３】  障害−前、障害−後、ならびに障害−前及び−後に式ＩＩの化合物を該患者に投与する請求項１４４の薬剤。
【請求項１５４】  式ＩＩの化合物を経口的に投与する請求項１４４の薬剤。
【請求項１５５】  式ＩＩの化合物を局所的に投与する請求項１４４の薬剤。
【請求項１５６】  該局所的投与が点耳剤を介する請求項１５５の薬剤。
【請求項１５７】  式ＩＩの化合物を皮下的に投与する請求項１４４の薬剤。
【請求項１５８】  式ＩＩ；
【化６７】
2002525329.tif 000067
の化合物を有効成分として含有することを特徴とする、患者における感覚毛細胞の死の故の突然の感覚神経性聴覚障害を予防するための薬剤。
【請求項１５９】  障害−前、障害−後、ならびに障害−前及び−後に式ＩＩの化合物を該患者に投与する請求項１５８の薬剤。
【請求項１６０】  式ＩＩの化合物を経口的に投与する請求項１５８の薬剤。
【請求項１６１】  式ＩＩの化合物を局所的に投与する請求項１５８の薬剤。
【請求項１６２】  該局所的投与が点耳剤を介する請求項１６１の薬剤。
【請求項１６３】  式ＩＩの化合物を皮下的に投与する請求項１５８の薬剤。
【請求項１６４】  式ＩＩ；
【化６８】
2002525329.tif 000068
の化合物を有効成分として含有することを特徴とする、患者における障害の前もしくはその後に感覚毛細胞の機能を保存するための薬剤。
【請求項１６５】  該感覚毛細胞の障害が騒音、感染及び薬物毒性より成る群から選ばれる請求項１６４の薬剤。
【請求項１６６】  該障害が騒音である請求項１６４の薬剤。
【請求項１６７】  該障害が感染である請求項１６４の薬剤。
【請求項１６８】  該障害が薬物毒性である請求項１６５の薬剤。
【請求項１６９】  該薬物毒性がアミノグリコシド及び白金に基づく細胞毒性薬剤より成る群から選ばれる薬物により引き起こされる請求項１６８の薬剤。
【請求項１７０】  該薬物毒性がアミノグリコシドにより引き起こされる請求項１６９の薬剤。
【請求項１７１】  該薬物毒性が白金に基づく細胞毒性薬剤により引き起こされる請求項１６９の薬剤。
【請求項１７２】  該白金に基づく細胞毒性薬剤がシスプラチン又はカルボプラチンである請求項１７１の薬剤。
【請求項１７３】  障害−前、−後、ならびに−前及び−後に式ＩＩの化合物を投与する請求項１６４の薬剤。
【請求項１７４】  式ＩＩの化合物を経口的に投与する請求項１６４の薬剤。
【請求項１７５】  式ＩＩの化合物を局所的に投与する請求項１６４の薬剤。
【請求項１７６】  該局所的投与が点耳剤を介する請求項１７５の薬剤。
【請求項１７７】  式ＩＩの化合物を皮下的に投与する請求項１６４薬剤。
【請求項１７８】  治療的に有効量の式ＩＩ；
【化６９】
2002525329.tif 000069
の化合物を有効成分として含有することを特徴とする、患者における蝸牛ニューロンの死を予防するための薬剤。
【請求項１７９】  該感覚毛細胞の死が障害の故である請求項１７８の薬剤。
【請求項１８０】  該障害が騒音である請求項１７９の薬剤。
【請求項１８１】  該障害が感染である請求項１７９の薬剤。
【請求項１８２】  該障害が薬物毒性である請求項１７９の薬剤。
【請求項１８３】  該薬物毒性がアミノグリコシド及び白金に基づく細胞毒性薬剤より成る群から選ばれる薬物により引き起こされる請求項１８２の薬剤。
【請求項１８４】  該薬物毒性がアミノグリコシドにより引き起こされる請求項１８３の薬剤。
【請求項１８５】  該薬物毒性が白金に基づく細胞毒性薬剤により引き起こされる請求項１８３の薬剤。
【請求項１８６】  該白金に基づく細胞毒性薬剤がシスプラチン又はカルボプラチンである請求項１８５の薬剤。
【請求項１８７】  障害−前、−後、ならびに−前及び−後に式ＩＩの化合物を投与する請求項１７８の薬剤。
【請求項１８８】  式ＩＩの化合物を経口的に投与する請求項１７８の薬剤。
【請求項１８９】  式ＩＩの化合物を局所的に投与する請求項１７８の薬剤。
【請求項１９０】  該局所的投与が点耳剤を介する請求項１８９の薬剤。
【請求項１９１】  式ＩＩの化合物を皮下的に投与する請求項１７８の薬剤。
【請求項１９２】  式ＩＩ；
【化７０】
2002525329.tif 000070
の化合物を有効成分として含有することを特徴とする、損傷を受けた感覚毛細胞を処置するための薬剤。
【請求項１９３】  該感覚毛細胞の死が障害の故である請求項１９２の方法。
【請求項１９４】  該障害が騒音である請求項１９３の薬剤。
【請求項１９５】  該障害が感染である請求項１９３の薬剤。
【請求項１９６】  該障害が薬物毒性である請求項１９３の薬剤。
【請求項１９７】  該薬物毒性がアミノグリコシド及び白金に基づく細胞毒性薬剤より成る群から選ばれる薬物により引き起こされる請求項１９６の薬剤。
【請求項１９８】  該薬物毒性がアミノグリコシドにより引き起こされる請求項１９７の薬剤。
【請求項１９９】  該薬物毒性が白金に基づく細胞毒性薬剤により引き起こされる請求項１９７の薬剤。
【請求項２００】  該白金に基づく細胞毒性薬剤がシスプラチン又はカルボプラチンである請求項１９９の薬剤。
【請求項２０１】  障害−前、−後、ならびに−前及び−後に式ＩＩの化合物を投与する請求項１９２の薬剤。
【請求項２０２】  式ＩＩの化合物を経口的に投与する請求項１９２の薬剤。
【請求項２０３】  式ＩＩの化合物を局所的に投与する請求項１９２の薬剤。
【請求項２０４】  該局所的投与が点耳剤を介する請求項２０３の薬剤。
【請求項２０５】  式ＩＩの化合物を皮下的に投与する請求項１９２の薬剤。